(57)【要約】【課題】インフラやメディアの多様化を意識させることなく、コンテンツ情報から所望のコンテンツを直接選択することができ、使い易さを格段に向上させることのできる情報端末装置を提供すること。【解決手段】コンテンツを再生する再生手段１６を備えた情報端末装置１０であって、コンテンツに関連するコンテンツ関連情報と、コンテンツが格納されている格納場所情報とを含んで構成されるコンテンツＤＢ１９ａを作成するコンテンツＤＢ作成手段と、コンテンツＤＢ作成手段で作成されたコンテンツＤＢ１９ａのデ−タに基づいて、コンテンツ関連情報からユ−ザ所望のコンテンツを直接選択可能とする画面を生成する画面生成手段と、画面生成手段で生成された画面を表示手段に表示する表示処理手段とを装備する。【選択図】　図１
2004030469.tif 000002
【特許請求の範囲】
【請求項１】
コンテンツを再生する再生手段を備えた情報端末装置であって、
前記コンテンツに関連するコンテンツ関連情報と、前記コンテンツが格納されている格納場所情報とを含んで構成されるコンテンツデ−タベ−ス（以下、コンテンツＤＢと記す）を作成するコンテンツＤＢ作成手段と、
該コンテンツＤＢ作成手段で作成されたコンテンツＤＢのデ−タに基づいて、前記コンテンツ関連情報からユ−ザ所望のコンテンツを直接選択可能とするメニュ−画面を生成するメニュ−画面生成手段と、
前記メニュ−画面生成手段で生成されたメニュ−画面を表示手段に表示する表示処理手段とを備えていることを特徴とする情報端末装置。
【請求項２】
前記コンテンツＤＢから前記コンテンツ関連情報に対応するコンテンツが格納されている格納場所を割り出す格納場所割出手段を備え、
前記メニュ−画面生成手段が、前記格納場所割出手段により割り出された格納場所情報と前記コンテンツ関連情報とを関連付けたメニュ−画面を生成するものであることを特徴とする請求項１記載の情報端末装置。
【請求項３】
前記格納場所割出手段による前記コンテンツの格納場所の割出の結果、前記コンテンツが複数の格納場所に格納されていることが判明した場合、所定の選択順位決定条件に基づいて、前記複数の格納場所に関する選択優先順位を決定する選択優先順位決定手段を備え、
前記メニュ−画面生成手段が、前記選択優先順位決定手段により決定された前記選択優先順位に基づく格納場所情報と前記コンテンツ関連情報とを関連付けたメニュ−画面を生成するものであることを特徴とする請求項２記載の情報端末装置。
【請求項４】
前記選択順位決定条件を設定可能とする選択順位決定条件設定手段を備えていることを特徴とする請求項３記載の情報端末装置。
【請求項５】
前記格納場所割出手段による前記コンテンツの格納場所の割出の結果、前記コンテンツがいずれの格納場所にも格納されていないことが判明した場合、前記コンテンツを外部のコンテンツ提供手段から通信網を介して取得することを可能とする外部取得選択手段を備え、
前記メニュ−画面生成手段が、前記外部取得選択手段による外部取得選択情報と前記コンテンツ関連情報とを関連付けたメニュ−画面を生成するものであることを特徴とする請求項２〜４のいずれかの項に記載の情報端末装置。
【請求項６】
前記外部取得選択手段を介して外部取得が選択されたコンテンツを前記コンテンツ提供手段から取得するための処理を行う外部取得処理手段を備えていることを特徴とする請求項５記載の情報端末装置。
【請求項７】
前記再生手段が、
前記表示処理手段により表示されたメニュ−画面内の所定のコンテンツ関連情報に対してユ−ザからの選択入力があった場合に、該選択入力されたコンテンツ関連情報と関連付けられたコンテンツの格納場所から前記コンテンツを読み出して再生を行うものであることを特徴とする請求項１〜６のいずれかの項に記載の情報端末装置。
【請求項８】
前記メニュ−画面のメニュ−項目を個別に設定可能とするメニュ−項目設定手段を備えていることを特徴とする請求項１〜７のいずれかの項に記載の情報端末装置。
【請求項９】
前記コンテンツ及び／又は前記コンテンツ関連情報を通信手段及び／又は放送受信手段を介して取得するコンテンツ情報取得手段と、
該コンテンツ情報取得手段により取得したコンテンツ関連情報を対応するコンテンツと関連付けて前記コンテンツＤＢに登録していくコンテンツ情報登録手段とを備えていることを特徴とする請求項１〜８のいずれかの項に記載の情報端末装置。
【請求項１０】
前記コンテンツ情報登録手段が、
前記コンテンツ関連情報を更新していくコンテンツ関連情報更新手段を備えていることを特徴とする請求項９記載の情報端末装置。
【請求項１１】
前記コンテンツ情報登録手段により登録されたコンテンツ関連情報の所定の情報を表示させるためのコンテンツ関連情報表示手段を備えていることを特徴とする請求項９又は請求項１０記載の情報端末装置。
【請求項１２】
前記コンテンツ情報取得手段が、前記メニュ−画面を構成する項目情報を取得するものであることを特徴とする請求項９〜１１のいずれかの項に記載の情報端末装置。
【請求項１３】
前記コンテンツ情報取得手段が、ユ−ザ所望のコンテンツの選択を補助するためのコンテンツ選択補助情報を取得するものであることを特徴とする請求項９〜１１のいずれかの項に記載の情報端末装置。
【請求項１４】
前記コンテンツ選択補助情報が、音楽コンテンツのサビ部分、１コ−ラス、又は音質を落としたフルコ−ラスの情報を含んでいることを特徴とする請求項１３記載の情報端末装置。
【請求項１５】
前記コンテンツ選択補助情報が、映像コンテンツの予告情報を含んでいることを特徴とする請求項１３記載の情報端末装置。
【請求項１６】
前記コンテンツ選択補助情報が、前記コンテンツのジャケット画像を含んでいることを特徴とする請求項１３記載の情報端末装置。
【請求項１７】
ユ−ザの嗜好性を高めるための情報の登録を可能とする嗜好情報登録手段を備え、
前記メニュ−画面生成手段が、前記嗜好情報登録手段を介して登録されたユ−ザの嗜好情報を加味して、メニュ−画面を生成するものであることを特徴とする請求項９〜１１のいずれかの項に記載の情報端末装置。
【請求項１８】
前記再生手段による前記コンテンツの再生情報を記録する再生情報記録手段と、
該再生情報記録手段に記録された再生情報からユ−ザの嗜好情報を生成する嗜好情報生成手段とを備え、
前記メニュ−画面生成手段が、前記嗜好情報生成手段により生成されたユ−ザの嗜好情報を加味して、メニュ−画面を生成するものであることを特徴とする請求項９〜１１のいずれかの項に記載の情報端末装置。
【請求項１９】
前記コンテンツ関連情報が、テレビジョン放送の番組デ−タを含み、
前記ユ−ザの嗜好情報に基づいて前記番組デ−タから予告通知番組デ−タを抽出する予告通知番組抽出手段と、
該予告通知番組抽出手段により抽出された予告通知番組デ−タに基づいて、前記ユ−ザの嗜好情報に該当する番組又は番組中の特定項目関連部分の放送前に事前に予告通知を行う予告通知手段とを備えていることを特徴とする請求項１７又は請求項１８記載の情報端末装置。
【請求項２０】
前記予告通知番組抽出手段により抽出された予告通知番組デ−タに該当する番組又は番組中の特定項目関連部分を録画する予告通知番組録画手段を備え、
前記再生手段が、前記予告通知番組録画手段により録画された予告通知番組の再生を行うものであることを特徴とする請求項１９記載の情報端末装置。
【請求項２１】
テレビジョン放送の番組の表示映像を静止画像として保存する画像保存手段と、
該画像保存手段による静止画像の保存時に、前記番組の番組デ−タを合わせて保存する番組デ−タ保存手段と、
前記画像保存手段により保存された静止画像と、前記番組デ−タ保存手段により保存された前記番組デ−タ内の所定デ−タとを関連付けて登録する画像登録手段とを備えていることを特徴とする請求項９〜２０のいずれかの項に記載の情報端末装置。
【請求項２２】
前記メニュ−画面生成手段が、前記画像登録手段により登録された静止画像を含んだメニュ−画面を生成するものであることを特徴とする請求項２１記載の情報端末装置。
【発明の詳細な説明】
【０００１】
【発明の属する技術分野】
本発明は情報端末装置に関し、より詳細には音楽や映像等のコンテンツが再生可能な情報端末装置に関する。
【０００２】
【従来の技術】
近年におけるディジタル技術の急速な発展は、通信インフラやメディアの多様化をもたらしており、それに伴い情報のマルチメディア化に対応した製品の開発が活発に行われている。
【０００３】
例えば、家庭用電化製品（以下、家電と記す）では、パ−ソナルコンピュ−タ（以下、パソコンと記す）とオ−ディオコンポ（ＣＤやＭＤ等の再生・録音機能や、ラジオの受信・録音機能等を備えたシステム）との機能を融合させて、パソコンのモニタ−上でオ−ディオコンポの各種操作を行うことのできる製品や、パソコンにテレビチュ−ナ等を搭載することにより、パソコンとテレビとの機能を融合させて、パソコンのモニタ−上で、テレビ放送の番組選択や録画等の各種操作を行うことのできる製品が開発されている。
【０００４】
ところで、車載用等の情報端末装置におけるユ−ザインタ−フェ−ス（操作のための入力手段）は、家電に実際に使用された実績のあるユ−ザ−インタ−フェ−スに類似したものを採用するのが一般的であった。
【０００５】
図７９は、従来の車載用の情報端末装置のディスプレイを含む前面パネルの概略構成を説明するための図である。
前面パネル５０は、ディスプレイ部５１とその周囲の操作部５２とを含んで構成されており、操作部５２には、ＣＤの再生を行うためのＣＤ釦５３、ＭＤの再生を行うためのＭＤ釦５４、テレビ放送を受信表示するためのＴＶ釦５５、及びＡＭ・ＦＭ放送を受信するためのＡＭ・ＦＭ釦５６等の各種のメディア選択釦５７と、電源のＯＮ・ＯＦＦや音量の調整を行うためのＰＷＲ・ＶＯＬ釦５８、ＣＤ等の選曲やＡＭ・ＦＭ放送の選局を行うための選曲・選局釦５９、現在位置情報を表示させるための現在地釦６０、ナビゲ−ション用のメニュ−画面を表示するためのメニュ−釦６１、及び通信インフラ等からの情報取得や各種の設定情報を表示させるための情報釦が含まれている。
【０００６】
ユ−ザが音楽を聴こうとした場合、まずメディア選択釦５７のいずれかを押圧操作する。例えば、ＣＤ釦５３が押圧操作された場合は、装置内にセットされているＣＤに記録されている曲の中から前回最後に聞いた曲から再生が開始され、同一ディスク内の別の曲や別のディスクの曲（チェンジャ−機能を備えている場合）を聴きたい場合には、選曲・選局釦５９を操作して、ディスプレイ部５１に表示されるトラックＮｏやディスクＮｏを参照しながら聴きたい曲を選択するようになっている。
【０００７】
また、情報釦６２が押圧操作された場合には、図８０に示すメニュ−画面がディスプレイ部５１に表示される。図８０には、メニュ−項目として、ＭＯＮＥＴ、インタ−ネット、ｉモ−ド、ＨＥＬＰＮＥＴ、及びＦＭ多重等の通信インフラを介して情報を取得するための通信インフラ選択釦６２ａや、ハンズフリ−、電話帳等の設定情報を読み出すための設定情報読出釦６２ｂ等が表示されるようになっている。
【０００８】
ユ−ザが知りたい情報を取得する場合、まず通信インフラ選択釦６２ａにより情報を取得する通信インフラを選択し、選択された各通信インフラのメニュ−画面からさらに選択・入力操作を繰り返して、所望の情報を取得することができるようになっている。
【０００９】
【発明が解決しようとする課題】
現在の通信インフラの構築状況から判断する限り、今後、無線通信により外部から情報を取得できるような通信インフラ設備の拡充や通信速度の向上が一層進み、また、放送のディジタル化等によりさらにメディアの多様化が進むことが予測されている。
【００１０】
このようなインフラ・メディアの多様化に対して、従来のインフラ・メディアの選択釦の中から所望とするインフラ・メディアの情報を選択していくインフラ・メディア指向型のユ−ザインタ−フェ−スのままでは、メニュ−操作釦の数やメディア等を選択するための表示・操作釦等の数が増大する一方であり、その結果、多機能であるにも関わらず、ユ−ザが所望とする音楽、映像、放送、画像あるいはデ−タ等の各種コンテンツを選択するまでに、多くの選択・入力操作を繰り返すことが必要になり、ユ−ザ所望のコンテンツを簡単に選択することが困難となり、ユ−ザにとっては非常に使いずらいものになるということが容易に予想される。
【００１１】
本発明は上記課題に鑑みなされたものであって、インフラやメディアの多様化を意識させることなく、コンテンツ情報から所望のコンテンツを直接選択することができ、使い易さを格段に向上させることのできる情報端末装置を提供することを目的としている。
【００１２】
【課題を解決するための手段及びその効果】
上記目的を達成するために本発明に係る情報端末装置（１）は、コンテンツを再生する再生手段を備えた情報端末装置であって、前記コンテンツに関連するコンテンツ関連情報と、前記コンテンツが格納されている格納場所情報とを含んで構成されるコンテンツＤＢを作成するコンテンツＤＢ作成手段と、該コンテンツＤＢ作成手段で作成されたコンテンツＤＢのデ−タに基づいて、前記コンテンツ関連情報からユ−ザ所望のコンテンツを直接選択可能とするメニュ−画面を生成するメニュ−画面生成手段と、前記メニュ−画面生成手段で生成されたメニュ−画面を表示手段に表示する表示処理手段とを備えていることを特徴としている。
【００１３】
上記情報端末装置（１）によれば、前記コンテンツＤＢに基づいて生成された前記メニュ−画面が前記表示手段に表示されるので、ユ−ザは、聴きたい音楽コンテンツ、見たい映像、放送、画像コンテンツ、あるいは知りたいデ−タコンテンツなど、様々なインフラやメディアを通じて取得可能なユ−ザ所望のコンテンツを前記インフラやメディアを意識することなく前記コンテンツ関連情報から直接選択することができ、使い易さを格段に向上させることができる。なお前記コンテンツ関連情報には、前記コンテンツが音楽コンテンツの場合、ア−ティスト名や曲名等の情報が含まれるようになっている。
【００１４】
また本発明に係る情報端末装置（２）は、上記情報端末装置（１）において、前記コンテンツＤＢから前記コンテンツ関連情報に対応するコンテンツが格納されている格納場所を割り出す格納場所割出手段を備え、前記メニュ−画面生成手段が、前記格納場所割出手段により割り出された格納場所情報と前記コンテンツ関連情報とを関連付けたメニュ−画面を生成するものであることを特徴としている。
【００１５】
上記情報端末装置（２）によれば、前記格納場所情報と前記コンテンツ関連情報とを関連付けたメニュ−画面を生成することができ、該メニュ−画面を表示させることにより、前記コンテンツが格納されている格納場所をユ−ザに一目で把握させることができる。したがって、ユ−ザは、前記格納場所情報を参考にして前記コンテンツを選択することもできる。
【００１６】
また本発明に係る情報端末装置（３）は、上記情報端末装置（２）において、前記格納場所割出手段による前記コンテンツの格納場所の割出の結果、前記コンテンツが複数の格納場所に格納されていることが判明した場合、所定の選択順位決定条件に基づいて、前記複数の格納場所に関する選択優先順位を決定する選択優先順位決定手段を備え、前記メニュ−画面生成手段が、前記選択優先順位決定手段により決定された前記選択優先順位に基づく格納場所情報と前記コンテンツ関連情報とを関連付けたメニュ−画面を生成するものであることを特徴としている。
【００１７】
上記情報端末装置（３）によれば、前記格納場所割出手段により前記コンテンツが複数の格納場所に格納されていることが判明した場合は、これら複数の格納場所に格納されているコンテンツの選択優先順位を決定することができ、該選択優先順位に基づく格納場所情報と前記コンテンツ関連情報とを関連付けたメニュ−画面を生成することができ、該メニュ−画面を表示させることにより、前記選択優先順位に基づく格納場所をユ−ザに一目で把握させることができる。したがって、ユ−ザは、前記コンテンツが複数の格納場所に格納されていることを意識することなく前記選択優先順位に基づく格納場所情報を参考にして前記コンテンツを選択することができる。
【００１８】
前記選択順位決定条件には、例えば、前記コンテンツが音楽コンテンツである場合には、その音質レベル、音楽コンテンツの取得に要する料金（通信料金、コンテンツ代など）等の条件を含めた格納場所の選択優先順位デ−タを予め作成しておくことにより、該選択優先順位デ−タに基づいて音質と料金とを加味した前記格納場所の選択優先順位を決定することができる。
【００１９】
また本発明に係る情報端末装置（４）は、上記情報端末装置（３）において、前記選択順位決定条件を設定可能とする選択順位決定条件設定手段を備えていることを特徴としている。
【００２０】
上記情報端末装置（４）によれば、前記選択順位決定条件を設定可能とする選択順位決定条件設定手段を備えているので、ユ−ザの好みに応じて前記選択順位決定条件を設定することができ、ユ−ザの希望を反映させた選択優先順位を決定することができる。
【００２１】
また本発明に係る情報端末装置（５）は、上記情報端末装置（２）〜（４）のいずれかにおいて、前記格納場所割出手段による前記コンテンツの格納場所の割出の結果、前記コンテンツがいずれの格納場所にも格納されていないことが判明した場合、前記コンテンツを外部のコンテンツ提供手段から通信網を介して取得することを可能とする外部取得選択手段を備え、前記メニュ−画面生成手段が、前記外部取得選択手段による外部取得選択情報と前記コンテンツ関連情報とを関連付けたメニュ−画面を生成するものであることを特徴としている。
【００２２】
上記情報端末装置（５）によれば、前記外部取得選択情報と前記コンテンツ関連情報とを関連付けたメニュ−画面を生成することができ、該メニュ−画面を表示させることにより、前記外部取得選択情報をユ−ザに把握させることができる。したがって、ユ−ザは、前記外部取得選択情報を参考にして、前記コンテンツの選択を行うことができる。例えば、ユ−ザによっては、外部取得に要する料金を極力抑えたい場合もあり、前記外部取得選択情報が表示されていれば、外部取得に料金を要するコンテンツの選択を未然に防ぐことができる。
【００２３】
また本発明に係る情報端末装置（６）は、上記情報端末装置（５）において、前記外部取得選択手段を介して外部取得が選択されたコンテンツを前記コンテンツ提供手段から取得するための処理を行う外部取得処理手段を備えていることを特徴としている。
【００２４】
上記情報端末装置（６）によれば、前記外部取得処理手段により前記外部取得選択手段を介して外部取得が選択されたコンテンツを前記コンテンツ提供手段から取得することができる。
【００２５】
また本発明に係る情報端末装置（７）は、上記情報端末装置（１）〜（６）のいずれかにおいて、前記再生手段が、前記表示処理手段により表示されたメニュ−画面内の所定のコンテンツ関連情報に対してユ−ザからの選択入力があった場合に、該選択入力されたコンテンツ関連情報と関連付けられたコンテンツの格納場所から前記コンテンツを読み出して再生を行うものであることを特徴としている。
【００２６】
上記情報端末装置（７）によれば、前記再生手段により前記メニュ−画面内の所定のコンテンツ関連情報を選択するだけで該コンテンツ関連情報と関連付けられたコンテンツを再生することができる。
【００２７】
また本発明に係る情報端末装置（８）は、上記情報端末装置（１）〜（７）のいずれかにおいて、前記メニュ−画面のメニュ−項目を個別に設定可能とするメニュ−項目設定手段を備えていることを特徴としている。
【００２８】
上記情報端末装置（８）によれば、前記メニュ−項目設定手段により前記メニュ−画面のメニュ−項目を個別に設定することができ、ユ−ザの希望を反映したメニュ−画面の生成が可能となる。
【００２９】
また本発明に係る情報端末装置（９）は、上記情報端末装置（１）〜（８）のいずれかにおいて、前記コンテンツ及び／又は前記コンテンツ関連情報を通信手段及び／又は放送受信手段を介して取得するコンテンツ情報取得手段と、該コンテンツ情報取得手段により取得したコンテンツ関連情報を対応するコンテンツと関連付けて前記コンテンツＤＢに登録していくコンテンツ情報登録手段とを備えていることを特徴としている。
【００３０】
上記情報端末装置（９）によれば、前記コンテンツ情報取得手段により取得したコンテンツ関連情報と、該コンテンツ関連情報と対応するコンテンツとを関連付けて前記コンテンツＤＢに登録していくので、登録された前記コンテンツ関連情報を読み出して表示することにより、前記コンテンツの選択に役立つ種々の情報をユ−ザに提示することができる。
【００３１】
また本発明に係る情報端末装置（１０）は、上記情報端末装置（９）において、前記コンテンツ情報登録手段が、前記コンテンツ関連情報を更新していくコンテンツ関連情報更新手段を備えていることを特徴としている。
【００３２】
上記情報端末装置（１０）によれば、前記コンテンツ情報登録手段が、前記コンテンツ関連情報を更新していくコンテンツ関連情報更新手段を備えているので、更新された新しいコンテンツ関連情報をユ−ザに提示することが可能となり、常に新しい情報に基づいたメニュ−画面を生成することができる。
【００３３】
また本発明に係る情報端末装置（１１）は、上記情報端末装置（９）又は（１０）において、前記コンテンツ情報登録手段により登録されたコンテンツ関連情報の所定の情報を表示させるためのコンテンツ関連情報表示手段を備えていることを特徴としている。
【００３４】
上記情報端末装置（１１）によれば、前記コンテンツ情報登録手段により登録されたコンテンツ関連情報の所定の情報を表示させることができる。したがって、前記コンテンツの選択に役立つ種々の情報をユ−ザに提示することができる。
【００３５】
また本発明に係る情報端末装置（１２）は、上記情報端末装置（９）〜（１１）のいずれかにおいて、前記コンテンツ情報取得手段が、前記メニュ−画面を構成する項目情報を取得するものであることを特徴としている。
【００３６】
上記情報端末装置（１２）によれば、前記コンテンツ情報取得手段が、前記メニュ−画面を構成する項目情報を取得するものであるので、取得した前記項目情報に基づいて新しいメニュ−画面を生成することができる。
【００３７】
また本発明に係る情報端末装置（１３）は、上記情報端末装置（９）〜（１１のいずれかにおいて、前記コンテンツ情報取得手段が、ユ−ザ所望のコンテンツの選択を補助するためのコンテンツ選択補助情報を取得するものであることを特徴としている。
【００３８】
上記情報端末装置（１３）によれば、前記コンテンツ情報取得手段が、ユ−ザ所望のコンテンツの選択を補助するためのコンテンツ選択補助情報を取得するものであるので、該コンテンツ選択補助情報を取得することによりユ−ザ所望のコンテンツの選択を補助する情報をユ−ザに提示することができる。
【００３９】
また本発明に係る情報端末装置（１４）は、上記情報端末装置（１３）において、前記コンテンツ選択補助情報が、音楽コンテンツのサビ部分、１コ−ラス、又は音質を落としたフルコ−ラスの情報を含んでいることを特徴としている。
【００４０】
上記情報端末装置（１４）によれば、前記音楽コンテンツのサビ部分、１コ−ラス、又は音質を落としたフルコ−ラスの情報に基づいてユ−ザに所望の音楽コンテンツを選択させることができ、ユ−ザが曲名等を知らなくても、フィ−リングにあった曲を選択することが可能となる。
【００４１】
また本発明に係る情報端末装置（１５）は、上記情報端末装置（１３）において、前記コンテンツ選択補助情報が、映像コンテンツの予告情報を含んでいることを特徴としている。
【００４２】
上記情報端末装置（１５）によれば、前記映像コンテンツの予告情報に基づいてユ−ザに所望の映像コンテンツを選択させることができ、ユ−ザが題名等を知らなくても、フィ−リングにあった映像を選択することが可能となる。
【００４３】
また本発明に係る情報端末装置（１６）は、上記情報端末装置（１３）において、前記コンテンツ選択補助情報が、前記コンテンツのジャケット画像を含んでいることを特徴としている。
【００４４】
上記情報端末装置（１６）によれば、前記コンテンツのジャケット画像に基づいてユ−ザに所望のコンテンツを選択させることができ、ジャケット画像イメ−ジを大切にすることができる。
【００４５】
また本発明に係る情報端末装置（１７）は、上記情報端末装置（９）〜（１１）のいずれかにおいて、ユ−ザの嗜好性を高めるための情報の登録を可能とする嗜好情報登録手段を備え、前記メニュ−画面生成手段が、前記嗜好情報登録手段を介して登録されたユ−ザの嗜好情報を加味して、メニュ−画面を生成するものであることを特徴としている。
【００４６】
上記情報端末装置（１７）によれば、前記嗜好情報登録手段によりユ−ザの嗜好性を高めるための情報を登録することができ、登録された前記ユ−ザの嗜好情報を加味したメニュ−画面を生成することができる。したがって、ユ−ザの嗜好により合ったメニュ−画面を表示させることが可能となり、さらに使い易さを向上させることができる。
【００４７】
また本発明に係る情報端末装置（１８）は、上記情報端末装置（９）〜（１１）のいずれかにおいて、前記再生手段による前記コンテンツの再生情報を記録する再生情報記録手段と、該再生情報記録手段に記録された再生情報からユ−ザの嗜好情報を生成する嗜好情報生成手段とを備え、前記メニュ−画面生成手段が、前記嗜好情報生成手段により生成されたユ−ザの嗜好情報を加味して、メニュ−画面を生成するものであることを特徴としている。
【００４８】
上記情報端末装置（１８）によれば、前記再生情報を記録し、記録された前記再生情報に基づいてユ−ザの嗜好情報を生成し、生成された前記ユ−ザの嗜好情報を加味したメニュ−画面を生成するので、前記再生情報に基づいたユ−ザの嗜好により合ったメニュ−画面を表示させることが可能となり、さらに操作性を向上させることができる。
【００４９】
また本発明に係る情報端末装置（１９）は、上記情報端末装置（１７）又は（１８）において、前記コンテンツ関連情報が、テレビジョン放送の番組デ−タを含み、前記ユ−ザの嗜好情報に基づいて前記番組デ−タから予告通知番組デ−タを抽出する予告通知番組抽出手段と、該予告通知番組抽出手段により抽出された予告通知番組デ−タに基づいて、前記ユ−ザの嗜好情報に該当する番組又は番組中の特定項目関連部分の放送前に事前に予告通知を行う予告通知手段とを備えていることを特徴としている。
【００５０】
上記情報端末装置（１９）によれば、前記予告通知番組デ−タに基づいて、前記ユ−ザの嗜好情報に該当する番組又は番組中の特定項目関連部分の放送前に事前に予告通知を行うことができる。したがって、ユ−ザは、前記予告通知によってユ−ザの嗜好情報に該当する番組又は番組中の特定項目関連部分の放送前であることを把握することができ、すぐに番組チャンネルの選択等を行って、前記番組又は番組中の特定項目を見逃さないようにすることができる。なお、前記番組中の特定項目関連部分とは、例えば、番組がニュ−ス番組であれば、国内ニュ−ス、海外ニュ−ス、為替情報、或はスポ−ツなどのニュ−ス項目関連部分を示し、歌番組であれば、出演ア−ティスト関連部分を示し、ユ−ザの嗜好情報に該当するニュ−ス項目の放送前や、歌番組においてユ−ザの嗜好情報に該当するア−ティストの出演前に予告通知することができる。
【００５１】
また本発明に係る情報端末装置（２０）は、上記情報端末装置（１９）において、前記予告通知番組抽出手段により抽出された予告通知番組デ−タに該当する番組又は番組中の特定項目関連部分を録画する予告通知番組録画手段を備え、前記再生手段が、前記予告通知番組録画手段により録画された予告通知番組の再生を行うものであることを特徴としている。
【００５２】
上記情報端末装置（２０）によれば、前記予告通知番組デ−タに該当する番組又は番組中の特定項目関連部分が録画されるので、前記番組又は番組中の特定項目関連部分を見逃した場合でも、予告通知番組録画手段により録画された前記番組又は番組中の特定項目関連部分を再生させることができる。
【００５３】
また本発明に係る情報端末装置（２１）は、上記情報端末装置（９）〜（２０）のいずれかにおいて、テレビジョン放送の番組の表示映像を静止画像として保存する画像保存手段と、該画像保存手段による静止画像の保存時に、前記番組の番組デ−タを合わせて保存する番組デ−タ保存手段と、前記画像保存手段により保存された静止画像と、前記番組デ−タ保存手段により保存された前記番組デ−タ内の所定デ−タとを関連付けて登録する画像登録手段とを備えていることを特徴としている。
【００５４】
上記情報端末装置（２１）によれば、テレビジョン放送の番組の表示映像を静止画像として、前記番組デ−タと合わせて保存して、前記静止画像と前記番組デ−タ内の所定デ−タとを関連付けて登録するので、例えば、前記静止画像を集めた画像ライブラリを作成したり、前記コンテンツ関連情報として前記静止画像を使用することができる。
【００５５】
また本発明に係る情報端末装置（２２）は、上記情報端末装置（２１）において、前記メニュ−画面生成手段が、前記画像登録手段により登録された静止画像を含んだメニュ−画面を生成するものであることを特徴としている。
【００５６】
上記情報端末装置（２２）によれば、前記メニュ−画面生成手段が、前記画像登録手段により登録された静止画像を含んだメニュ−画面を生成するので、該メニュ−画面に前記静止画像を表示させることができ、前記静止画像を選択することにより、該静止画像と関連付けられたデ−タに基づいて、所定のコンテンツを読み出して再生させることが可能となる。
【００５７】
【発明の実施の形態】
以下、本発明に係る情報端末装置の実施の形態を図面に基づいて説明する。図１は、実施の形態に係る車載用情報端末装置の要部を概略的に示したブロック図である。
【００５８】
図中１０は、情報端末装置を示しており、情報端末装置１０は、ＴＶ放送受信手段１１、ラジオ放送受信手段１２、表示手段１３、表示処理手段１４、音楽・映像・画像メディア１５の読込・再生手段１６、無線手段１７、操作手段１８、記憶手段１９、及びマイクロコンピュ−タ２０を含んで構成されている。
【００５９】
ＴＶ放送受信手段１１は、ディジタルテレビ放送の受信機能を備えており、アンテナ１１ａで受信した受信電波からユ−ザの希望する放送波を選択するチュ−ナ部、該チュ−ナ部でチュ−ニングされた受信波を復調する復調部（いずれも図示せず）等を含んで構成されている。復調された映像デ−タは、表示手段１３に出力され、音声デ−タは、スピ−カ（図示せず）から出力され、番組デ−タやデ−タ放送等のデ−タは、マイコン２０内のＲＡＭ２０ａに格納されるようになっている。
【００６０】
ラジオ放送受信手段１２は、アンテナ１２ａで受信した受信電波からユ−ザの希望するＡＭ又はＦＭの放送波を選択するチュ−ナ部、該チュ−ナ部でチュ−ニングされた受信波を復調する復調部（いずれも図示せず）等を含んで構成され、復調された音声デ−タは、スピ−カ（図示せず）から出力され、ＦＭ音声多重デ−タは、マイコン２０内のＲＡＭ２０ａに格納されるようになっている。
【００６１】
表示手段１３は、液晶ディスプレイ等を含んで構成されており、ＴＶ放送受信手段１１で復調された映像デ−タや、記憶手段１９から読み出されたナビゲ−ション用の地図デ−タや各種メニュ−画面等が表示されるようになっている。
【００６２】
表示処理手段１４は、マイコン２０の行う表示制御に基づいて、表示手段１３に表示する画像を生成する処理を行うための手段であり、ユ−ザ所望の音楽、放送、映像、画像、デ−タなどの各種コンテンツを直接選択可能なメニュ−画面の生成やナビゲ−ションのための地図画面の生成等を行うことができるようになっている。
【００６３】
読込・再生手段１６は、マイコン２０の行う読込・再生制御に基づいて、音楽・映像・画像メディア１５を構成するＣＤ、ＭＤ、半導体メモリ−カ−ド（以下ＭＣと記す）、ＤＶＤ等から音楽デ−タ、映像デ−タ、又は画像デ−タを読み込み、再生を行う。また、音楽・映像・画像メディア１５から読み込んだ曲タイトルデ−タやア−ティストデ−タ等のデ−タは、マイコン２０のＲＡＭ２０ａに格納され、同様に映像・画像デ−タの内の映像・画像タイトルデ−タや出演者デ−タ等のデ−タもマイコン２０のＲＡＭ２０ａに格納されるようになっている。
【００６４】
無線手段１７には、無線基地局４０を介して一般電話網４２やインタ−ネット網４３への接続が可能な無線ＬＡＮやＤＳＲＣ（狭域無線通信）等に対応した無線装置が採用され、少なくとも１つ以上の通信モジュ−ルを含んで構成されている。無線手段１７による無線通信により一般電話網４２に接続されたホ−ムサ−バ４４や、インタ−ネット網４３に接続されたコンテンツ提供サ−バ４５に接続して、所定のデ−タのダウンロ−ドが行えるようになっている。
【００６５】
操作手段１８を介して情報端末装置１０の各種の操作（メニュ−選択等）が行えるようになっており、操作手段１８としてはキ−ボ−ドスイッチ形式やタッチパネル形式や、これらを組み合わせたものを採用することができる。なお、本実施の形態では、表示手段１３の液晶ディスプレイ上には、操作手段１８としてのタッチパネルが構成されている。
【００６６】
記憶手段１９は、コンテンツ関連情報とコンテンツの格納場所情報とを含むコンテンツＤＢ１９ａ、ナビゲ−ションのための地図ＤＢ１９ｂ、音楽、放送、映像、及びデ−タ等のコンテンツを保存するコンテンツファイル１９ｃ、番組デ−タ等の外部取得情報の中から抽出されたア−ティストに関連する情報が記憶されるア−ティスト情報ファイル１９ｄ、及び外部から取得したランキング情報が記憶されるランキング情報ファイル１９ｅ等を含んで構成され、例えば、ハ−ドディスク等の大容量の記憶装置で構成されている。
【００６７】
マイコン２０は、バスラインＢＬを通じて情報端末装置１０に含まれる各手段を制御するものであり、各種デ−タの一時記憶を行うＲＡＭ２０ａ、演算処理を行う中央演算処理装置（ＣＰＵ）２０ｂ、及びコンテンツＤＢ作成プログラムやメニュ−画面生成プログラムなどの各種プログラムが格納されたＲＯＭ２０ｃを含んで構成されている。
【００６８】
また、マイコン２０には、携帯基地局４１を介して一般電話網４２やインタ−ネット網４３への接続が可能な携帯電話３０と、ＧＰＳ受信機３１と、車速センサ３２と、ジャイロセンサ３３とがバスラインＢＬを介して接続されている。
【００６９】
マイコン２０は、車速センサ３２と、ジャイロセンサ３３とから取り込んだ信号に基づいて演算した走行距離及び進行方向に基づいて自車位置を割り出し（自律航法）、またＧＰＳ受信機３１から取り込んだＧＰＳ信号に基づいて自車位置を割り出すようになっている（ＧＰＳ航法）。
【００７０】
そして、マイコン２０は、割り出した自車位置と、記憶手段１９の地図ＤＢ１９ｂから読み出した地図デ−タとを合わせるマップマッチング処理を行い、自車位置が正確に示された地図を表示手段１３に表示させる処理を行うようになっている。
【００７１】
次に実施の形態に係る情報端末装置の記憶手段に格納されているコンテンツＤＢ１９ａについて説明する。
コンテンツＤＢ１９ａは、音楽コンテンツＤＢと、放送・映像コンテンツＤＢと、画像コンテンツＤＢと、デ−タコンテンツＤＢと、ユ−ザ情報ＤＢとを含んで構成されている。
【００７２】
図２は、音楽コンテンツＤＢのデ−タ構造を示している。
音楽コンテンツＤＢのＤＢ項目はア−ティスト名、曲名、アルバム名、アルバム・シングル区分、及び演奏時間等を含む曲デ−タ項目と、イベントコ−ド、定番コ−ド、主題歌・ＣＭコ−ド、ジャンルコ−ド、ランキングデ−タ等を含む曲特定項目と、曲の格納場所デ−タを含む格納場所項目とを含んで構成されている。　曲デ−タ項目の各デ−タは、予めＤＢに収録されており、収録されていない曲のデ−タは、無線手段１７又は携帯電話３０を介して楽曲デ−タ提供サ−バ４６からダウンロ−ドして、音楽コンテンツＤＢに新規登録されるようになっている。
【００７３】
曲特定項目の各デ−タは、曲デ−タ項目の各曲毎に関連付けて予めＤＢに収録されるデ−タであって、イベントコ−ドは、例えば、クリスマス、正月、誕生日、・・記念日などのイベント情報を表しており、このようなイベントと関連のある曲に割り付けられている。定番コ−ドは、例えば、夏といえば、スキ−に行くなら、夜景を見ながら、などの定番情報を表しており、このような季節や行き先と関連のある（季節や行き先を想定させる）曲に割り付けられている。主題歌・ＣＭコ−ドは、その曲が主題歌として採用された番組情報（番組名、番組ジャンル、出演者情報、放送日等）やその曲が使われたＣＭ情報（会社名、出演者情報、商品名等）を表しており、主題歌やＣＭに採用された曲に関して登録されている。
【００７４】
ジャンルコ−ドは、国内ロック・ポップス、外国ロック・ポップス、ジャズ、クラッシック、演歌、民謡等の音楽ジャンル情報を表しており、収録曲すべてに音楽ジャンルコ−ドが割り付けられている。
【００７５】
ランキングデ−タは、オリコンチャ−ト、リクエストランキング、ＣＤランキング、カラオケランキング、レンタルランキング等のランキング情報を表しており、ランキングされた曲に関して登録されるようになっている。
【００７６】
なおランキングデ−タは、無線手段１７や携帯電話３０を介してネットワ−ク網４３に接続されたランキング情報提供サ−バ４７に接続して、ダウンロ−ドしてランキング情報ファイル１９ｅに格納されたデ−タを元にしてランキングされた曲に関して登録されるようになっている。あるいは、ランキング情報を提供している放送番組があれば、そのランキング情報を含む番組デ−タを取得して、取得したデ−タをもとに登録することもできる。
【００７７】
また、格納場所項目の格納場所デ−タは、曲の格納場所を示す情報であり、読込・再生手段１６にセットされた音楽メディア（ＣＤ、ＭＤ、ＭＣなど）１５に格納されている曲には、音楽メディア１５に格納されていることを示すデ−タ（ＣＤ、ＭＤ、ＭＣなど）が登録され、記憶手段１９のコンテンツファイル１９ｃに格納されている曲には、記憶手段１９に格納されていることを示すデ−タ（ＨＤ）が登録され、ホ−ムサ−バ４４に格納されている曲には、ホ−ムサ−バ４４に格納されていることを示すデ−タ（Ｈｏｍｅ）が登録され、その他の曲には、購入が必要であることを示すデ−タ（Ｂｕｙ）が登録されるようになっている。
【００７８】
また、マイコン２０は、ＴＶ放送受信手段１１で受信した番組デ−タ（番組表デ−タや番組関連デ−タを含む）やデ−タ放送番組のデ−タの中から前記曲デ−タ項目に収録されているア−ティストに関連する情報、例えば、コンサ−ト、ライブ日程情報、新譜発売情報、テレビやラジオの出演予定情報をア−ティスト毎に抽出して記憶手段１９のア−ティスト情報ファイル１９ｄに格納する処理を行うようになっており、音楽コンテンツＤＢとア−ティスト情報ファイル１９ｄとはア−ティスト名をキ−にリンクされている。
【００７９】
また、読込・再生手段１６で再生された音楽コンテンツの再生情報（累積再生回数情報等）も音楽コンテンツＤＢと関連付けて記憶手段１９に記憶されるようになっている。
【００８０】
図３は、放送・映像コンテンツＤＢのデ−タ構造を示している。
放送・映像コンテンツＤＢは、放送・映像コンテンツを絞り込むためのキ−ワ−ド項目と、キ−ワ−ドに基づいて抽出された放送・映像コンテンツのタイトル情報項目と、前記放送・映像コンテンツを取得する取得メディア項目とを含んで構成されている。
【００８１】
前記キ−ワ−ド項目には、放送・映像コンテンツを特定するためのキ−ワ−ドが予め収録されており、前記キ−ワ−ドには、例えば、放送・映像コンテンツにおける出演者名、映画等の監督名、放送・映像コンテンツのジャンル（ニュ−ス、スポ−ツ、ワイドショ−、ドラマ、音楽、バラエティ、映画、ドキュメンタリ−、演劇、趣味、教養など）、その他、種々のキ−ワ−ドを含めることができる。
【００８２】
前記タイトル情報項目には、前記キ−ワ−ド項目中のキ−ワ−ドに基づいて、放送や通信により取得した番組デ−タや映像メディア１５から読み込んだデ−タから抽出された放送・映像コンテンツのタイトルや見出し等のデ−タが登録されるようになっている。
取得メディア項目には、前記放送・映像コンテンツの取得メディアデ−タ、例えば、映像メディアがＤＶＤであればＤＶＤが、テレビ放送であればＴＶ、ＦＭ放送であればＦＭ等のデ−タが登録されるようになっている。
【００８３】
図４は、画像コンテンツＤＢのデ−タ構造を示している。
画像コンテンツＤＢには、読込・再生手段１６にセットされた半導体メモリ−カ−ドに記録された画像情報や、ホ−ムサ−バ４４に格納されている画像情報が登録され、画像コンテンツＤＢの項目には、分類キ−ワ−ドを含む画像分類項目と、画像特定デ−タを含む画像特定項目と、画像格納場所デ−タを含む画像格納場所項目とを含んで構成されている。
【００８４】
画像分類項目には、画像の分類キ−ワ−ド、例えば、家族、恋人、ペット、友人等のキ−ワ−ドが登録されるようになっている。
画像特定項目には、前記画像分類項目の分類キ−ワ−ドに関連付けられた画像情報、例えば画像タイトル、撮影日付、撮影場所、メモ及び電話番号等の画像を特定するデ−タが登録されるようになっている。
画像格納場所項目には、前記画像分類項目の分類キ−ワ−ドに関連付けられた画像が格納されているメディア等の格納場所デ−タが登録されるようになっている。
【００８５】
図５は、デ−タコンテンツＤＢのデ−タ構造を示している。
デ−タコンテンツＤＢは、知りたい情報を大きく分類する大分類キ−ワ−ドを含む大分類項目と、該大分類項目を細かく分類分けした小分類キ−ワ−ドを含む小分類項目と、該小分類項目と関連付けられたデ−タコンテンツのタイトル・見出しデ−タを含むタイトル・見出し項目と、前記デ−タコンテンツの取得メディアデ−タを含む取得メディア項目とを含んで構成されている。
【００８６】
大分類項目には、例えば、ニュ−ス・事件、飲食店情報、天気予報、イベント情報、遊び情報等の大分類キ−ワ−ドが予め登録されており、小分類項目には、大分類項目をさらに区分けした小分類キ−ワ−ドが予め登録されており、例えば、大分類キ−ワ−ドが、ニュ−ス・事件であれば、対応する小分類キ−ワ−ドには、一面記事、今日のニュ−ス、過去のニュ−ス、ロ−カルニュ−スなどの分類キ−ワ−ドが登録されるようになっている。
【００８７】
タイトル・見出し項目には、小分類キ−ワ−ドに該当するデ−タコンテンツのタイトル・見出し情報が登録されるようになっており、前記取得メディア項目には、タイトル・見出し情報が登録されたデ−タコンテンツの取得日時デ−タと取得メディアデ−タとが登録されるようになっている。
【００８８】
図６は、ユ−ザ情報ＤＢのデ−タ構造を示している。
ユ−ザ情報ＤＢは、ユ−ザ識別項目、個人情報項目、嗜好情報項目等を含んで構成されている。
【００８９】
ユ−ザ識別項目には、ユ−ザを識別するための情報が登録されるようになっており、ユ−ザ識別情報としては、例えば携帯電話番号、ユ−ザの名前、ユ−ザＩＤなどが採用可能になっている。
個人情報項目には、ユ−ザの個人情報が登録されるようになっており、前記個人情報には、年齢、性別、視力等のデ−タが含まれている。
嗜好情報項目には、ユ−ザの嗜好情報が登録されるようになっており、前記嗜好情報には、好みのア−ティスト、俳優、女優、タレント、芸人等の好みの芸能人情報、好みの番組、番組ジャンル等の好みの番組デ−タ、好みの食べ物情報、好みの遊び情報等を含めることができる。
【００９０】
これらの項目情報は、メニュ−画面のプロファイルデ−タ登録画面を通じて入力できるようになっており、入力された各情報がユ−ザ情報ＤＢに登録されるようになっている。
【００９１】
次に、実施の形態に係る情報端末装置におけるマイコン２０の行う音楽コンテンツＤＢ作成処理動作について図７、８に示したフロ−チャ−トに基づいて説明する。なお図７は、格納場所デ−タ登録処理動作を示し、図８は、ランキングデ−タの登録処理動作を示している。
【００９２】
図７において、まずステップＳ１では、音楽メディア１５が読込・再生手段１６にセットされたか否かを判断し、音楽メディア１５が読込・再生手段１６にセットされたと判断すれば、ステップＳ２に進む。
【００９３】
ステップＳ２では、音楽メディア１５に格納されている曲目デ−タの読み込み処理を行い、ステップＳ３に進む。ステップＳ３では、読み込んだ曲目デ−タに該当する曲が音楽コンテンツＤＢに収録されているか否かを判断し、前記曲目デ−タに該当する曲が音楽コンテンツＤＢに収録されていないと判断すれば、ステップＳ４に進む。
【００９４】
ステップＳ４では、収録されていない曲の曲デ−タ項目情報の取得処理、すなわち、無線手段１７又は携帯電話３０を介して楽曲デ−タ提供サ−バ４６に接続して、収録されていない曲の曲デ−タ項目情報のダウンロ−ドを行い、ステップＳ５に進む。なお、この場合、無線手段１７の通信可能エリア内であれば、通信には無線手段１７が優先的に選択され、通信コストが抑制できるようになっている。
【００９５】
ステップＳ５では、取得した曲デ−タ項目情報を音楽コンテンツＤＢに登録する処理を行い、ステップＳ６に進む。
一方、ステップＳ３において、前記曲目デ−タに該当する曲が音楽コンテンツＤＢに収録されていると判断すれば、ステップＳ６に進む。
【００９６】
ステップＳ６では、音楽コンテンツＤＢ中の前記曲目デ−タに該当する曲の格納場所デ−タ欄に、曲が格納されている音楽メディア（ＣＤ、ＭＤ、ＭＣ等）１５のデ−タを登録する処理を行いステップＳ７に進む。
一方ステップＳ１において、音楽メディア１５が読込・再生手段１６にセットされていないと判断すれば、ステップＳ７に進む。
【００９７】
ステップＳ７では、ホ−ムサ−バ４４に格納されている音楽ファイルの曲目デ−タの取得タイミングか否かを判断し、取得タイミングであると判断すれば、ステップＳ８に進む。
【００９８】
ステップＳ８では、ホ−ムサ−バ４４に格納されている音楽ファイルの曲目デ−タの取得処理、すなわち、無線手段１７又は携帯電話３０を介してホ−ムサ−バ４４に接続して、前記曲目デ−タのダウンロ−ドを行い、ステップＳ９に進む。
【００９９】
ステップＳ９では、取得した曲目デ−タに該当する曲が音楽コンテンツＤＢに収録されているか否かを判断し、前記曲目デ−タに該当する曲が音楽コンテンツＤＢに収録されていないと判断すれば、ステップＳ１０に進む。
【０１００】
ステップＳ１０では、上記ステップＳ４と同様の処理により収録されていない曲の曲デ−タ項目情報の取得処理を行い、ステップＳ１１に進む。ステップＳ１１では、取得した曲デ−タ項目情報を音楽コンテンツＤＢに登録する処理を行い、ステップＳ１２に進む。
【０１０１】
一方、ステップＳ９において、前記曲目デ−タに該当する曲が音楽コンテンツＤＢに収録されていると判断すれば、ステップＳ１２に進む。
ステップＳ１２では、音楽コンテンツＤＢ中の前記曲目デ−タに該当する曲の格納場所デ−タ欄に、曲が格納されているホ−ムサ−バ（Ｈｏｍｅ）のデ−タを登録する処理を行いステップＳ１３に進む。
一方ステップＳ７において、取得タイミングではないと判断すれば、ステップＳ１３に進む。
【０１０２】
ステップＳ１３では、記憶手段１９のコンテンツファイル１９ｃに音楽デ−タが記憶されたか否かを判断し、音楽デ−タが記憶されたと判断すれば、ステップＳ１４に進む。
【０１０３】
ステップＳ１４では、音楽デ−タの曲目デ−タの読み出し処理を行い、ステップＳ１５に進む。ステップＳ１５では、読み出した曲目デ−タに該当する曲が音楽コンテンツＤＢに収録されているか否かを判断し、前記曲目デ−タに該当する曲が音楽コンテンツＤＢに収録されていないと判断すれば、ステップＳ１６に進む。
【０１０４】
ステップＳ１６では、上記ステップＳ４と同様の処理により収録されていない曲の曲デ−タ項目情報の取得処理を行い、ステップＳ１７に進む。ステップＳ１７では、取得した曲デ−タ項目情報を音楽コンテンツＤＢに登録する処理を行い、ステップＳ１８に進む。
【０１０５】
一方、ステップＳ１５において、前記曲目デ−タに該当する曲が音楽コンテンツＤＢに収録されていると判断すれば、ステップＳ１８に進む。
ステップＳ１８では、音楽コンテンツＤＢ中の前記曲目デ−タに該当する曲の格納場所デ−タ欄に、曲が格納されている記憶手段（ＨＤ等）のデ−タを登録する処理を行い、その後処理を終了する。
一方ステップＳ１３において、音楽デ−タが記憶されていないと判断すれば、その後処理を終了する。
【０１０６】
なお、上記ステップＳ４、Ｓ１０、Ｓ１６において、楽曲デ−タ提供サ−バ４６が曲デ−タ項目情報だけでなく曲関連項目情報も提供できるものであれば、該曲関連項目情報も合わせて取得して、音楽コンテンツＤＢに登録することもできる。
【０１０７】
次に、ランキングデ−タの登録処理動作について説明する。
図８において、ステップＳ２１では、ランキングデ−タの更新タイミングか否かを判断し、更新タイミングであると判断すれば、ステップＳ２２に進む。
【０１０８】
ステップＳ２２では、ランキングデ−タの取得処理、すなわち、無線手段１７又は携帯電話３０を介してランキングデ−タ提供サ−バ４７に接続して、最新のランキングデ−タをダウンロ−ドする処理を行い、ステップＳ２３に進む。
【０１０９】
ステップＳ２３では、ダウンロ−ドしたランキングデ−タを記憶手段１９のランキング情報ファイル１９ｅに更新記憶する処理を行い、ステップＳ２４に進む。
ステップＳ２４では、ランキング情報ファイル１９ｅに更新記憶されたランキングデ−タに含まれる曲が音楽コンテンツＤＢにすべて登録されているか否かを判断し、音楽コンテンツＤＢにすべて登録されていると判断すれば、ステップＳ２７に進む。
【０１１０】
一方、ステップＳ２４において、音楽コンテンツＤＢにすべて登録されていないと判断すれば、ステップＳ２５に進む。ステップＳ２５では、未登録曲の曲デ−タ項目情報の取得処理、すなわち、無線手段１７又は携帯電話３０を介して楽曲デ−タ提供サ−バ４６に接続して、未登録の曲の曲項目デ−タをダウンロ−ドする処理を行い、その後ステップＳ２６に進む。
ステップＳ２６では、ダウンロ−ドした未登録の曲の曲デ−タ項目情報を音楽コンテンツＤＢに登録する処理を行い、その後ステップＳ２７に進む。
【０１１１】
ステップＳ２７では、音楽コンテンツＤＢに登録されている前回のランキングデ−タを今回更新したランキングデ−タに書き換え登録する処理、すなわち、前回のランキングデ−タを削除して、更新された各ランキングデ−タをランキングされた曲のランキングデ−タ欄に登録する処理を行い、その後、処理を終了する。
【０１１２】
次に、実施の形態に係る情報端末装置におけるマイコン２０の行う放送・映像コンテンツＤＢ作成処理動作（放送・映像コンテンツの更新登録処理動作）について図９に示したフロ−チャ−トに基づいて説明する。
【０１１３】
まず、ステップＳ３１では、放送・通信メディア（ＦＭ多重放送、ＴＶ多重放送、インタ−ネット、受信メ−ル等）から新しい放送・映像コンテンツデ−タ（番組デ−タ、番組連動デ−タ、サイトデ−タ、メディアデ−タ等）を取得したか否かを判断し、新しい放送・映像コンテンツデ−タを取得したと判断すれば、ステップＳ３２に進む。
【０１１４】
ステップＳ３２では、前記新しい放送・映像コンテンツデ−タ中にキ−ワ−ド項目に登録されている絞り込みキ−ワ−ド（出演者、監督、ジャンル等）に関連する情報が含まれているか検索処理を行い、その後ステップＳ３３に進む。
【０１１５】
ステップＳ３３では、検索処理結果から前記絞り込みキ−ワ−ドに関連する情報が含まれているか否かを判断し、前記絞り込みキ−ワ−ドに関連する情報が含まれていると判断すれば、ステップＳ３４に進む。
【０１１６】
ステップＳ３４では、前記新しい放送・映像コンテンツデ−タのタイトル情報と取得メディア情報とを前記絞り込みキ−ワ−ドと関連付けて放送・映像ＤＢに登録する処理を行い、その後処理を終了する。
【０１１７】
一方、ステップＳ３１において、新しいコンテンツデ−タを取得していないと判断すれば、処理を終了する。また、ステップＳ３３において、前記絞り込みキ−ワ−ドに関連する情報が含まれていないと判断すれば処理を終了する。
【０１１８】
次に、実施の形態に係る情報端末装置におけるマイコン２０の行うデ−タコンテンツＤＢ作成処理動作（デ−タコンテンツの更新登録処理動作）について図１０に示したフロ−チャ−トに基づいて説明する。
【０１１９】
まず、ステップＳ４１では、放送・通信メディア（ＦＭ多重放送、ＴＶ多重放送、インタ−ネット、受信メ−ル等）から新しいデ−タコンテンツ（ニュ−ス、お店情報、天気予報、イベント情報、遊び情報等）を取得したか否かを判断し、新しいデ−タコンテンツを取得したと判断すれば、ステップＳ４２に進む。
【０１２０】
ステップＳ４２では、前記新しいデ−タコンテンツのデ−タ中に大分類キ−ワ−ド（ニュ−ス、お店情報、天気予報、イベント情報、遊び情報等）に関連する情報が含まれているか検索処理を行い、その後ステップＳ４３に進む。
【０１２１】
ステップＳ４３では、検索処理結果から前記大分類キ−ワ−ドに関連する情報が含まれているか否かを判断し、前記大分類キ−ワ−ドに関連する情報が含まれていると判断すれば、ステップＳ４４に進む。
【０１２２】
ステップＳ４４では、前記大分類キ−ワ−ドに関連する情報を小分類キ−ワ−ドに基づいて分類する処理を行い、その後ステップＳ４５に進む。
ステップＳ４５では、分類された小分類キ−ワ−ドと関連付けて、前記コンテンツのタイトル・見出し情報と取得メディア情報とをデ−タコンテンツＤＢに登録する処理を行い、その後処理を終了する。
【０１２３】
一方、ステップＳ４１において、新しいデ−タコンテンツのデ−タを取得していないと判断すれば、処理を終了する。また、ステップＳ４３において、大分類キ−ワ−ドに関連する情報が含まれていないと判断すれば、処理を終了する。
【０１２４】
次に、実施の形態に係る情報端末装置におけるメニュ−画面の表示形態を、図１１〜図７３に示した表示例に基づいて説明する。
図１１は、メニュ−釦が操作された時に最初に表示されるメニュ−画面を示している。
【０１２５】
メニュ−画面には、ユ−ザの聴きたい曲を直接選択可能とするメニュ−画面を表示させる「聴きたい」釦、ユ−ザの見たいテレビ番組、映像等を直接選択可能とするメニュ−画面を表示させる「見たい」釦、ユ−ザの知りたい情報を直接選択可能とするメニュ−画面を表示させる「知りたい」釦、及びユ−ザの好みに合わせた情報を直接選択可能とするメニュ−画面を表示させる「マイブ−ム」釦が表示されている。
表示手段１３を構成する液晶ディスプレイ上に配設されている操作手段１８のタッチパネルを介して、所望の釦の入力操作が行えるようになっている。
【０１２６】
図１１において、「聴きたい」釦がタッチ操作されると、図１２に示した聴きたい曲の絞り込みを行う「聴きたい」メニュ−画面が表示される。このメニュ−画面を通じてユ−ザは、聴きたい曲の絞り込みを行うことができるようになっている。
【０１２７】
図１２において、「最近のヒット曲から選ぶ」釦がタッチ操作されると、図１３に示したヒット曲の分類を選択可能とするメニュ−画面が表示される。このメニュ−画面を通じてユ−ザは、聴きたいヒット曲の分類を選択することができるようになっている。
【０１２８】
図１３において、「最新オリコンチャ−ト」釦がタッチ操作されると、図１４に示した最新オリコンチャ−トの曲を直接選択可能とするメニュ−画面が表示される。このメニュ−画面を通じてユ−ザは、最新オリコンチャ−ト中の聴きたい曲を直接選択することができるようになっている。
【０１２９】
図１４では、最新オリコンチャ−トにランキングされた曲の今回と前回の順位と、曲タイトル名と、ア−ティスト名とを含む曲情報と、その曲が格納されている場所を示す格納場所情報とが表示されている。例えば、今回１位の曲（ヴォイス−ポルノグラフィティ）は、読込・再生手段１６にセットされた音楽メディア１５の「ＣＤ」に格納されていることが分かるように表示されている。なお、「ＭＣ」は、その曲が読込・再生手段１６にセットされた音楽メディア１５の半導体メモリ−カ−ドに格納されていることを示し、「Ｈｏｍｅ」は、その曲がホ−ムサ−バ４４に格納されていることを示し、「Ｂｕｙ」は、その曲が音楽デ−タを提供するコンテンツ提供サ−バ４５に格納されていることを示している。また、記憶手段１９のコンテンツファイル１９ｃに格納されている場合には、「ＨＤ（ハ−ドディスク）」と表示させることもできるようになっている。
【０１３０】
なお、図１４における「絞り込み」釦は、ランキングされた曲を所定条件に基づいて絞り込むための釦であり、「選択再生」釦は、ランキングされた曲をランダムに選択して再生させるための釦である。さらに、「全て再生」釦は、ランキングされた曲を順番に全て再生させるための釦である。
【０１３１】
図１４において、ランキング５位の曲がタッチ操作されると、図１５に示した演奏時間と、ア−ティスト名と、曲タイトル名とを含む再生曲情報を示す再生画面が表示されると同時に、この場合、格納場所情報が「Ｂｕｙ」であるので、無線手段１７又は携帯電話３０を介してコンテンツ提供サ−バ４５に接続して、選択された曲のストリ−ム再生による試聴が行えるようになっている。なお、ストリ−ム再生は、１コ−ラス、サビのみ、あるいは音質を落としてフルコ−ラス等、曲毎に設定されている。
【０１３２】
また図１５には、試聴している曲を購入するための「購入」釦が表示されており、「購入」釦がタッチ操作されると、図１６に示した購入方法を選択するメニュ−画面が表示される。このメニュ−画面を通じて、ユ−ザは購入方法を選択することができるようになっている。
【０１３３】
図１６において、「今すぐこの曲を購入」釦がタッチ操作されると、図１７に示した購入金額を表示する画面が表示され、ユ−ザは、表示された購入金額を見て購入するかどうかを決めることができる。購入を中止する場合は、「中止」釦をタッチ操作すると、図１５に示した再生画面の表示に戻るようになっている。
【０１３４】
また図１７において、「購入」釦がタッチ操作されると、無線手段１７又は携帯電話３０を介してコンテンツ提供サ−バ４５から選択曲の音楽デ−タのダウンロ−ドを開始すると同時に、ダウンロ−ドの経過状況を示す画面が表示され、ダウンロ−ドが完了すると、図１８に示した購入完了を示す表示が行われるようになっている。そして、「聴く」釦をタッチ操作することにより、購入した曲を良い音質で聴くことができるようになっている。
【０１３５】
また、図１６において、「キヨスク端末で購入」釦がタッチ操作されると、図１９に示した楽曲デ−タの転送選択画面が表示され、この画面を通じて、ユ−ザは、楽曲デ−タを転送してもらうかどうかを決めることができる。転送を中止する場合は、「中止」釦をタッチ操作すると、図１５に示した再生画面の表示に戻るようになっている。
【０１３６】
図１９において、「転送」釦がタッチ操作されると、無線手段１７又は携帯電話３０を介して楽曲デ−タ提供サ−バ４６から楽曲コ−ドの転送が開始され、転送経過状況を示す画面が表示され、デ−タ転送が完了すると、図２０に示したデ−タ転送完了を示す画面がされるようになっている。なお、楽曲コ−ドは、読込・再生手段１６にセットされた音楽メディア１５の半導体メモリカ−ドに転送されるようになっており、該半導体メモリ−カ−ドに保存された楽曲コ−ドに基づいてキオスク端末での曲の購入が行えるようになっている。
【０１３７】
そして、図２０における「付近端末」釦がタッチ操作されると、現在位置から最も近いキヨスク端末を地図ＤＢ１９ａから検索して、ル−ト案内を行う画面に切り換えられるようになっている。また、「後で購入」釦がタッチ操作されると、楽曲コ−ドは、半導体メモリ−カ−ドに保存された状態で、図１５に示した再生画面の表示に戻るようになっている。
【０１３８】
なお、図１５における「情報」釦は、表示しているア−ティスト（この場合、浜崎あゆみ）に関わる情報を表示させるための釦であり、「情報」釦がタッチ操作されると、記憶手段１９のア−ティスト情報ファイル１９ｄに記憶されている新譜情報やコンサ−ト情報などが読み出されて表示されるようになっている（図２１）。
【０１３９】
また、「エア−チェック」釦は、ア−ティストのテレビやラジオ放送番組の出演予定情報を表示させるための釦であり、「エア−チェック」釦がタッチ操作されると、図２２に示すようにア−ティスト情報ファイル１９ｄに記憶されているア−ティストの番組出演予定情報が読み出されて表示され、さらに表示されている出演予定番組上をタッチ操作することにより、視聴予約や録音・録画予約も行うことが可能となっている。
【０１４０】
図２２における「情報読上」釦は、表示情報を音声で読み上げるための釦であり、「情報読上」釦がタッチ操作されると、再生中の音声をミュ−トして、表示情報を音声に変換して読み上げる処理が行われるようになっている。
また図１５における「リピ−ト」釦は、曲を繰り返し再生するための釦である。
【０１４１】
次に、図１２に示したメニュ−画面において、「イベントソングから選ぶ」釦がタッチ操作されると、図２３に示した「イベントソングから選ぶ」画面が表示される。ユ−ザは、この画面を通じて好みのイベント項目を選択することができるようになっている。
なお、図２３では、記念日等のイベント項目が登録可能となっており、「登録」釦をタッチ操作して表示された登録画面（図示せず）を通じて、イベント項目を登録し、さらにイベント項目と関連付ける曲のジャンルやア−ティスト等の情報を設定することができるようになっている。
【０１４２】
図２３において、「クリスマスソング」釦がタッチ操作されると、図２４に示したクリスマスソングを直接選択可能とするメニュ−画面が表示される。このメニュ−画面を通じてユ−ザは、クリスマスソング中の聴きたい曲を直接選択することができるようになっている。
【０１４３】
図２４におけるメニュ−画面には、クリスマスソングの曲タイトル名及び／又はア−ティスト名を含んだ曲情報と、その曲の格納場所情報とが関連付けて表示されている。例えば、上から１曲目の「赤鼻のトナカイ」は、「ＣＤ」に格納されていることが分かるように表示されている。
【０１４４】
図２４において、上から３番目の曲がタッチ操作されると、図２５に示した演奏時間と、ア−ティスト名と、曲タイトル名とを含む再生曲情報を示す再生画面が表示されると同時に、この場合、曲の格納場所情報が「Ｈｏｍｅ」であるので、無線手段１７又は携帯電話３０を介してホ−ムサ−バ４４に接続し、選択曲の音楽デ−タをダウンロ−ドして再生が行われる。
【０１４５】
次に、図１２に示したメニュ−画面において、「定番ソングから選ぶ」釦がタッチ操作されると、図２６に示した「定番ソングから選ぶ」画面が表示される。ユ−ザは、この画面を通じて好みの定番項目を選択することができるようになっている。なお、図２６に表示される定番項目は、月日デ−タ、時刻デ−タ、現在地情報等に基づいて、自動的に季節や時間帯や場所等の条件に基づいて表示順番が入れ替えて表示させることも可能となっている。
【０１４６】
図２６において、「スキ−に行くなら」釦がタッチ操作されると、図２７に示したスキ−と関連付けられた曲を選択可能とするメニュ−画面が表示される。このメニュ−画面を通じてユ−ザは、聴きたい曲を直接選択することができるようになっている。
【０１４７】
図２７では、スキ−と関連付けられた曲タイトル名及びア−ティスト名を含んだ情報と、その曲の格納場所情報とが関連付けて表示されている。例えば、上から１曲目の「Ｗｉｎｔｅｒ　Ａｇａｉｎ−ＧＬＡＹ」は、「ＣＤ」に格納されていることが分かるように表示されている。
【０１４８】
図２７において、上から２番目の曲がタッチ操作されると、図２８に示した演奏時間と、ア−ティスト名と、曲タイトル名とを含む再生曲情報を示す再生画面が表示されると同時に、この場合、曲の格納場所情報が「ＭＣ」であるので、半導体メモリ−カ−ドから音楽デ−タを読み出して再生が行われるようになっている。
【０１４９】
次に、図１２に示したメニュ−画面において、「主題歌・ＣＭソングから選ぶ」釦がタッチ操作されると、図２９に示した「主題歌・ＣＭソングから選ぶ」画面が表示される。ユ−ザは、この画面を通じて聴きたい主題歌のジャンルやＣＭソングを選択することができるようになっている。
【０１５０】
図２９において、「ドラマの主題歌」釦がタッチ操作されると、図３０に示したドラマを特定するための絞り込み条件項目が表示されたメニュ−画面が表示される。ユ−ザは、このメニュ−画面を通じてドラマを絞り込むための条件を選択することができるようになっている。
【０１５１】
図３０において、「出演者から選ぶ」釦がタッチ操作されると、図３１に示した出演者の選択・設定可能な出演者選択・設定画面が表示される。ユ−ザは、この画面を通じて好みの出演者を選択・設定することができ、設定後、好みの出演者が出演するドラマの主題歌名を表示する画面が表示されるようになっている。
【０１５２】
次に、図１２に示したメニュ−画面において、「ア−ティストから選ぶ」釦がタッチ操作されると、図３２に示した好みのア−ティストの選択・設定可能なア−ティスト選択・設定画面が表示される。ユ−ザは、この画面を通じて好みのア−ティストを選択・設定することができるようになっている。図３２では、ア−ティスト名をスクロ−ル選択させたり、文字入力釦でア−ティスト名を直接入力することができるようになっている。
【０１５３】
図３２において、「スピッツ」釦がタッチ操作されると、図３３に示したスピッツの曲情報を選択可能なメニュ−画面が表示される。ユ−ザは、このメニュ−画面を通じて聴きたい曲が収録されているアルバムやシングル、ヒット曲集、又はエア−チェック曲を選択することができるようになっている。
【０１５４】
図３３において、「アルバムリスト」釦がタッチ操作されると、図３４に示したアルバムを直接選択可能とするメニュ−画面が表示される。ユ−ザは、このメニュ−画面を通じて聴きたい曲が収録されているアルバムを直接選択することができるようになっている。
【０１５５】
図３４では、アルバム名と発売日とを含むアルバム情報と、そのアルバムの格納場所情報とが関連付けて表示されている。例えば、１番目の「ハヤブサ」は、「ＣＤ」に格納されていることが分かるように表示されている。
【０１５６】
図３４において、上から４番目のアルバム名がタッチ操作されると、図３５に示したアルバムタイトル名と、トラック数と、演奏時間と、ア−ティスト名と、曲タイトル名とを含む再生アルバム情報を示す再生画面が表示されると同時に、この場合、アルバムの格納場所情報が「Ｈｏｍｅ」であるので、無線手段１７又は携帯電話３０を介してホ−ムサ−バ４４に接続し、アルバムの音楽デ−タをダウンロ−ドして再生が行われるようになっている。
【０１５７】
次に図１１に示したメニュ−画面において、「見たい」釦がタッチ操作された場合のメニュ−画面の表示例について説明する。
図１１において、「見たい」釦がタッチ操作されると、図３６に示した見たい番組、映像、画像等の絞り込みを行うメニュ−画面が表示される。ユ−ザは、この画面を通じて、見たい番組、映像、画像等の絞り込みを行うことができるようになっている。
【０１５８】
図３６において、「今放送中のテレビ番組」釦がタッチ操作されると、図３７に示した今放送中のテレビ番組のマルチチャンネル表示画面が表示される。ユ−ザは、この画面で番組の表示枠内をタッチ操作することにより見たい番組を表示画像から直接選択することができるようになっている。なお、各チャンネルの表示枠は、番組ジャンルが一目で分かるように、番組デ−タに基づいて作成される番組表における番組ジャンルの色分けと同じ色で表示されるようになっている。
【０１５９】
図３７において、ユ−ザの見たい番組表示枠がタッチ操作されると、図３８に示した選択チャンネルの番組画面が表示される。図３８における「情報」釦は、表示番組に関する情報を表示させるための釦であり、「情報」釦がタッチ操作されると、番組デ−タから抽出された出演者リスト、主題歌や挿入歌情報、予告情報を表示させるための「番組関連情報」のメニュ−画面が表示される（図３９）。
【０１６０】
図３９におけるメニュ−項目は、表示番組の出演者リストを表示させるための「番組の出演者リスト」釦、表示番組の主題歌・挿入歌情報を表示させるための「番組の主題歌・挿入歌」釦、表示番組の次回の予告情報を表示させるための「次回の予告」釦等を含んで構成されている。
【０１６１】
図３９において、「番組の出演者リスト」釦がタッチ操作されると、図４０に示した番組の出演者リスト画面が表示される。ユ−ザは、この画面を通じて出演者情報を見たい出演者を選択することができるようになっている。
【０１６２】
図４０において、「ポルノグラフィティ」釦がタッチ操作されると、図４１に示したように「ポルノグラフィティ」の新譜情報や番組出演予定情報が表示されるようになっている。
【０１６３】
また、図３８における「情報」釦の隣には、他チャンネルの番組情報を表示する「他チャンネル情報」釦が表示されており、「他チャンネル情報」釦の枠内には、他チャンネルの情報をリアルタイムで表示させることができ、例えば、視聴・録画予約されている番組の情報、あるいはユ−ザ情報ＤＢに登録されているユ−ザの嗜好情報に該当する番組情報又は番組中の特定項目情報（好みの出演者の出演情報や番組編成情報等）を放送前に表示させて予告通知を行うこともできるようになっている。
【０１６４】
そして、「他チャンネル情報」釦がタッチ操作されると、「他チャンネル情報」釦の枠内に表示されていた番組情報のチャンネルに切り換えて表示される（図４２）。また、車両が走行中の場合には、表示された他チャンネル情報を音声に変換して読み上げるようにして、該当する番組を自動的に録画するようにすることも可能である。
【０１６５】
また、図４２における番組映像の表示中に、画面をタッチするとタッチした時点で静止画像表示に切り換えられ、図４３に示した静止画像画面が表示される。図４３における「保存」釦は、静止画像を記憶手段１９の画像ファイル（図示せず）に保存するための釦であり、「保存」釦がタッチ操作されると、静止画像が画像ファイルに番組デ−タの出演者リストデ−タとともに保存されるようになっている。
【０１６６】
図４４は、画像ファイルに保存された静止画像を読み出すための「画像ライブラリ」画面を示しており、保存された画像がマルチ表示されるようになっている。図４４において、マルチ表示された子画像がタッチ操作されると、図４５に示すようにタッチされた子画像が拡大表示されるようになっている。
【０１６７】
図４５において、「壁紙」釦は、表示画像を壁紙に設定するための釦であり、「メ−ル送信」釦は、表示画像を送信メ−ルに添付するための釦である。そして「リンク」釦は、表示画像に名前を付与するための釦であり、「リンク」釦がタッチ操作されると、同時に保存された出演者リストデ−タを示す出演者リスト画面が表示される（図４６）。
【０１６８】
ユ−ザは、この画面を通じて表示画像に付与するア−ティスト名を選択することができるようになっている。また、図４６における「編集」釦は、表示画像に付与する名前を自由に入力設定するための釦であり、「編集」釦がタッチ操作されると、図４７に示したア−ティスト名入力画面が表示され、この画面を通じて、ユ−ザは、任意の名前を入力設定することができるようになっている。
【０１６９】
また、「画像ライブラリ」に登録された画像（テレビ放送やインタ−ネットから取得したア−ティストの画像や、アルバムジャケットの画像等）を利用して聴きたい曲の選択も行うことも可能であり、例えば、図１２に示した「聴きたい」メニュ−画面で、「ア−ティストから選ぶ」釦がタッチ操作されると、図４８に示した子画像がマルチ表示された「ア−ティストから選ぶ」画面が表示される。マルチ表示された子画像には、それぞれア−ティスト名が付与されているので、子画像を選択することでア−ティストを直接選択することができるようになっている。
【０１７０】
マルチ表示された子画像の中から聴きたいア−ティストの画像をタッチ操作すると、子画像が拡大表示され（図４９）、画像に付与されたア−ティストの曲が再生されると図５０に示した、ア−ティスト名、曲タイトル名、演奏時間を示す曲情報と、静止画像とが表示された再生画面が表示される。
【０１７１】
また、図３６に示したメニュ−画面で、「キ−ワ−ドから選ぶ」釦がタッチ操作されると、図５１に示したキ−ワ−ドの選択・設定が可能なキ−ワ−ド選択・設定画面が表示される。ユ−ザは、この画面を通じてキ−ワ−ドのスクロ−ル選択や、文字入力釦による任意のキ−ワ−ド入力を行うことができるようになっている。
【０１７２】
図５１において、表示されているキ−ワ−ドをスクロ−ル選択して「オムレツ」がタッチ操作されると、「オムレツ」をキ−ワ−ドに放送・映像コンテンツＤＢの検索処理が行なわれ、検索結果を示す項目画面が示される（図５２）。ユ−ザは、この画面を通じて見たいオムレツ情報を絞り込むことができるようになっている。
【０１７３】
図５２において、「和風オムレツ」がタッチ操作されると、図５３に示した和風オムレツに関する情報を直接選択可能とするメニュ−画面が表示される。ユ−ザは、この画面を通じて和風オムレツに関して見たい情報を直接選択することができるようになっている。
【０１７４】
図５３では、和風オムレツをキ−ワ−ドに含むコンテンツのタイトル情報と、その情報が取得されたメディア情報とが関連付けて表示されている。例えば、一番上の「３分間クッキング」は、その情報がＴＶ多重放送から取得されたものであることを示す「ＴＶ」が表示されている。なお、「ＦＭ」は、その情報がＦＭ多重放送から取得されたものであることを示し、「ＮＥＴ」は、その情報がインタ−ネットから取得されたものであることを示し、「Ｍａｉｌ」は、その情報が受信メ−ルから取得されたものであることを示している。
【０１７５】
図５３において、「３分間クッキング」がタッチ操作されると、図５４に示した番組画面に切り換えて表示される。図５４における「情報」釦は、表示番組に関する情報を表示させるための釦であり、「情報」釦がタッチ操作されると、番組デ−タ中の前日のメニュ−情報や、次回予告情報が表示されるようになっている。また、「レシピ」釦は、本日のメニュ−のレシピ情報を表示させるための釦であり、「レシピ」釦がタッチ操作されると、図５５に示したレシピ情報の表示画面が表示される。
【０１７６】
図５５における「材料確認」釦は、無線手段１７又は携帯電話３０を介してレシピ情報デ−タをホ−ムサ−バ４４に送信して、ホ−ムサ−バ４４と接続されている冷蔵庫（図示せず）内の材料の在庫状況を確認するための釦である。
【０１７７】
「材料確認」釦がタッチ操作されると、レシピ情報デ−タが無線手段１７又は携帯電話３０を介してホ−ムサ−バ４４に送信される。レシピ情報デ−タを受信したホ−ムサ−バ４４は、冷蔵庫内の在庫デ−タを読み出し、レシピ情報デ−タに含まれる材料の在庫があるか否かを判断して、レシピ情報の在庫確認デ−タを作成し、作成した在庫確認デ−タを情報端末装置１０に送信する。
【０１７８】
在庫確認デ−タを受信した情報端末装置１０は、受信デ−タを画面に表示する。ユ−ザは、表示された在庫確認デ−タを見て、購入の必要な材料を確認することができる。なお、冷蔵庫の在庫デ−タは、ホ−ムサ−バ４４と無線接続された端末装置（図示せず）において食品の種類や賞味期限等の情報が入力できるようになっている。
【０１７９】
また、図５５における「レシピ送信」釦は、自宅の電子レンジ等の調理機器にレシピ（調理時間等の情報）デ−タを送信するための釦である。「レシピ送信」釦がタッチ操作されると、レシピデ−タが無線手段１７又は携帯電話３０を介してホ−ムサ−バ４４に送信される。レシピデ−タを受信したホ−ムサ−バ４４は、近距離無線通信手段等により接続された電子レンジ（図示せず）にレシピデ−タを送信するようになっている。そして、レシピデ−タを受信した電子レンジでは、レシピデ−タを読み出して調理時間等の設定を行うことができるようになっている。
【０１８０】
また、図３６に示したメニュ−画面において、「出演者から選ぶ」釦がタッチ操作されると、図５６に示した出演者の選択・設定が可能な出演者選択・設定画面が表示される。ユ−ザは、この画面を通じて出演者のスクロ−ル選択や、文字入力釦による任意の出演者の入力を行うことができるようになっている。
【０１８１】
図５６において、「すずき」を文字入力釦で入力すると、名字が「すずき」の出演者名がスクロ−ル表示され、「鈴木あみ」がタッチ操作されると、「鈴木あみ」をキ−ワ−ドに放送・映像コンテンツＤＢの検索処理が行なわれ、「鈴木あみ」と関連付けられたタイトル項目のデ−タが読み出され、該デ−タに基づいて所望の番組、映像メディア、画像等を直接選択可能とするメニュ−画面が表示される（図５７）。ユ−ザは、この画面を通じて、「鈴木あみ」の出演番組（予定も含む）等を直接選択することができるようになっている。
【０１８２】
図５７では、鈴木あみを出演者キ−ワ−ドに含むコンテンツのタイトル情報と、そのコンテンツの格納場所情報又は取得メディア情報とが関連付けて表示されている。例えば、一番上の「ＡＭＩ−ＧＯ−ＲＯＵＮＤ　ＴＯＵＲ」は、そのコンテンツが読込・再生手段１６にセットされているＤＶＤに格納されていることを示す「ＤＶＤ」表示がされている。
【０１８３】
なお、「ＴＶ」は、そのコンテンツがテレビ放送で受信可能であることを示し、現在放送中であれば、そのチャンネルに切り換えて番組映像を表示させることができ、また放送予定のコンテンツであれば、番組視聴予約が行われるようになっている。「ＰＩＣ」は、そのコンテンツがホ−ムペ−ジの画像集から画像の取込が可能であることを示し、「Ｈｏｍｅ」は、そのコンテンツがホ−ムサ−バ４４に格納されており、そのコンテンツをダウンロ−ドして再生できることを示し、「Ｂｕｙ」は、そのコンテンツが、映像デ−タを提供するコンテンツ提供サ−バ４５に格納されており、映像デ−タをストリ−ム再生できることを示している。
図５７において、上から２番目の「ＨＥＹ！ＨＥＹ！ＨＥＹ」がタッチ操作されると、放送予定番組であるので、番組予約受付画面が表示される（図５８）。
【０１８４】
また、図３６に示したメニュ−画面において、「写真館」釦がタッチ操作されると、図５９に示した「写真館」項目メニュ−画面が表示される。ユ−ザは、この画面を通じて見たい写真の分類項目を選択することができるようになっている。
【０１８５】
図５９における「登録」釦は、写真館に見たい画像の登録を行うための釦である。「登録」釦がタッチ操作されると、登録画面（図示せず）が表示され、この画面を通じて分類項目の追加登録や、画像の読み込み登録が行えるようになっている。
【０１８６】
なお画像は、読込・再生手段１６にセットされた半導体メモリ−カ−ドから画像デ−タを取り込んで、記憶手段１９のコンテンツファイル１９ｃ中の写真館ライブラリに登録されるようになっている。あるいは、無線手段１７又は携帯電話３０を介してホ−ムサ−バ４４に接続し、ホ−ムサ−バ４４に格納されている画像ファイルから、画像と関連付けられている画像タイトル名、撮影日、撮影場所等の画像特定情報をダウンロ−ドして、該画像特定情報に基づいて各画像の分類項目等の登録も行えるようになっている。
【０１８７】
図５９において「家族に会いたい」釦がタッチ操作されると、図６０に示した「家族に会いたい」項目メニュ−画面が表示される。ユ−ザは、この画面を通じて登録されている見たい画像を直接選択することができるようになっている。
【０１８８】
図６０では、画像のタイトル、撮影日付、撮影場所等を含む画像特定情報と、その画像が格納されている格納場所情報とが関連付けて表示されている。例えば、１番上の「篤史（遠足００．１０．４）」は、その画像が、読込・再生手段１６にセットされている半導体メモリ−カ−ドに格納されていることを示す「ＭＣ」表示がされている。なお、「Ｈｏｍｅ」は、その画像が、ホ−ムサ−バ４４に格納されており、ダウンロ−ドして表示させることができることを示している。
【０１８９】
図６０において、上から３番目の「絵里香（函館にて）」がタッチ操作されると、図６１に示した「絵里香（函館にて）」に対応する画像表示画面が表示される。
【０１９０】
図６１における「情報」釦は、表示画像の画像情報を表示させるための釦であり、「情報」釦がタッチ操作されると、撮影日、撮影場所及びメモなどが表示されるようになっている。また「メ−ルで送る」釦は、表示画像を電子メ−ルに添付して送信するための釦であり、「電話する」釦は、表示画像と関連付けられている相手に電話をかけるための釦である。
【０１９１】
次に図１１に示したメニュ−画面において、「知りたい」釦がタッチ操作された場合のメニュ−画面の表示例について説明する。
図１１のメニュ−画面において、「知りたい」釦がタッチ操作されると、図６２に示した知りたい情報（ニュ−ス、お店情報、天気、イベント、遊ぶスポット等の大分類項目）の絞り込みを行うためのメニュ−画面が表示される。ユ−ザは、この画面を通じて知りたい情報の絞り込みを行うことができるようになっている。
【０１９２】
図６２において、「ニュ−ス・事件」釦がタッチ操作されると、図６３に示した「ニュ−ス・事件」項目メニュ−画面が表示される。ユ−ザは、この画面を通じて、知りたいニュ−ス・事件の小分類項目を選択することができるようになっている。
【０１９３】
図６３において、「一面記事」釦がタッチ操作されると、図６４に示した「一面記事」選択項目メニュ−画面が表示される。ユ−ザは、この画面を通じて知りたいニュ−ス・事件を直接選択することができるようになっている。
【０１９４】
図６４では、各メディアから取得した一面記事のタイトル・見出し情報と、一面記事デ−タを取得したメディア情報とが関連付けて表示されている。例えば、一番上の「炭疽菌、９人目の発症」は、その一面記事デ−タがＦＭ多重放送から取得されたものであることを示す「ＦＭ」の表示がされている。なお「ＴＶ」は、その一面記事デ−タがＴＶ多重放送から取得されたものであることを示し、「ＮＥＴ」は、その一面記事デ−タがインタ−ネットを介して取得されたものであることを示し、「Ｍａｉｌ」は、その一面記事デ−タが受信メ−ルから取得されたものであることを示している。
【０１９５】
図６４において、「国境にアフガン難民６千人」の見出し釦がタッチ操作されると、図６５に示した「国境にアフガン難民６千人」の見出しに対応する一面記事デ−タが表示される一面記事表示画面が表示される。ユ−ザは、この画面を通じて一面記事の内容を確認することができるようになっている。
【０１９６】
なお図６５における「情報」釦は、表示記事に関する情報を表示させるための釦であり、「情報」釦がタッチ操作されると、表示記事の取得日時、取得メディアなどの情報が表示されるようになっている。また、「関連記事」釦は、表示記事に関連する情報の検索画面を表示させるための釦であり、「関連記事」釦がタッチ操作されると、検索画面（図示せず）が表示され、他のメディアからの関連記事の取得を行うことができるようになっている。さらに、「予約」釦は、記載記事に関連する記事を優先的に取得することを設定するための釦であり、「予約」釦がタッチ操作されると、取得予約画面（図示せず）が表示され、取得のためのキ−ワ−ドを設定することができるようになっており、設定されたキ−ワ−ドに基づいて、関連する記事が取得され、優先的にリスト表示されるようになっている。
【０１９７】
また図６２に示したメニュ−画面で「天気予報」釦がタッチ操作されると、図６６に示した「天気予報」選択メニュ−画面が表示される。図６６に示される選択項目は、季節情報等に基づいて順番を変えて表示されるようになっている。例えば、台風が発生する時期になれば「台風情報」が項目の上位に表示されるようになっている。ユ−ザは、この画面を通じて、知りたい天気情報を直接選択することができるようになっている。
【０１９８】
図６６において「洗濯日和」釦がタッチ操作されると、図６７に示した「洗濯日和」を示した画面が表示され、ユ−ザは、洗濯日和を知ることができるようになっている。
【０１９９】
次に図１１に示したメニュ−画面において、「マイブ−ム」釦がタッチ操作された場合のメニュ−画面の表示例について説明する。
図１１において、「マイブ−ム」釦がタッチ操作されると、図６８に示した「マイブ−ム」メニュ−画面が表示される。
【０２００】
表示されたメニュ−項目には、新着情報を表示させるための「Ｗｈａｔ’ｓ　Ｎｅｗ！」釦、ユ−ザの嗜好情報を強く反映させたメニュ−画面を表示させるための「お気にいり」釦、ユ−ザの嗜好情報を取り込むための画面を表示させるための「プロファイルデ−タ取込」釦、登録されているプロファイルデ−タの編集を行う画面を表示させるための「プロファイルデ−タ入力・編集」釦、プロファイルデ−タに基づいてユ−ザの嗜好を強く反映させた各種のメニュ−画面の生成を設定するための「エ−ジェント機能の設定釦」とを含んで構成されている。
【０２０１】
図６８において、「お気に入り」釦がタッチ操作されると、図６９に示したお気に入りメニュ−画面が表示される。お気に入りメニュ−には、ユ−ザが良く聴く曲の選択画面を表示させるための「よく聴く曲」釦、プロファイルデ−タに登録されたユ−ザの好みのア−ティスト・出演者の曲の選択画面を表示させるための「好みのア−ティスト・出演者」釦、プロファイルデ−タに登録されたユ−ザの関心事項に該当するニュ−ス項目の選択画面を表示させるための「最近、気になるニュ−ス」釦、テレビ番組等の視聴・録画予約情報を確認する画面を表示させるための「予約確認」釦などを含んで構成されている。
【０２０２】
図６９において、「よく聴く曲」釦がタッチ操作されると、図７０に示した「よく聴く曲」のランキング表示画面が表示される。図７０では、よく聴く曲のランキングデ−タと、曲名及びア−ティスト名と、再生回数デ−タとを含んだ情報と、その曲の格納場所情報とが表示されている。ユ−ザは、この画面を通じて、よく聴く曲ランキングを参考に聴きたい曲を直接選択することができるようになっている。
【０２０３】
図７０において、ランキング３位の曲がタッチ操作されると、図７１に示した再生時間と、ア−ティスト名と、曲タイトル名とを含む再生画面が表示されると同時に、この場合、曲の格納場所情報が「Ｈｏｍｅ」であるので、無線手段１７又は携帯電話３０を介してホ−ムサ−バ４４と接続して音楽デ−タをダウンロ−ドして再生が行われる。
【０２０４】
また、図６８に示した「エ−ジェント機能」釦を無効から有効に切り換えると、上記説明した種々のメニュ−画面はプロファイルデ−タに基づいてユ−ザの嗜好を強く反映したものとなる。
【０２０５】
例えば、図５６に示した「ア−ティストから選ぶ」メニュ−画面では、音楽コンテンツＤＢに登録されている名字が「すずき」のア−ティストが、すべてスクロ−ル表示されていたが、「エ−ジェント機能」釦を有効に切り換えると、「ア−ティストから選ぶ」メニュ−画面は、図７２に示すようにプロファイルデ−タに登録されたユ−ザの嗜好情報に基づいて、表示するア−ティスト名が絞り込まれて表示されるようになっている。
【０２０６】
また、図６８に示した「エ−ジェント機能」釦を無効から有効に切り換えると、例えば、図１２に示した聴きたい曲のメニュ−画面は、各メニュ−項目釦の使用頻度に応じて、表示される順番が入れ替わるようになっている。また、図１３に示した「最近のヒット曲から選ぶ」メニュ−画面において、「カラオケランキング」釦が選択された場合に、プロファイルデ−タに登録された好みの音楽ジャンルが演歌であった場合には、演歌のランキングを読み出して、メニュ−画面を生成させることもできるようになっている。
【０２０７】
また、プロファイルデ−タに登録されたユ−ザの年齢デ−タや性格デ−タに基づいて、メニュ−画面の背景色等を変更させることもできるようになっている。さらに、ユ−ザのメニュ−選択時における誤操作を認識（例えば、同一画面での「戻る」釦の繰り返し操作等から判断）して、釦サイズや文字サイズを大きく表示させるようにメニュ−画面の構成を変更させることもできるようになっている。このような機能により、ユ−ザにとってより一層操作のしやすいメニュ−画面を表示させることが可能となっている。
【０２０８】
次に実施の形態に係る情報端末装置におけるマイコン２０の行うメニュ−画面の表示処理動作について、図７４に示したフロ−チャ−トに基づいて説明する。
【０２０９】
まず、ステップＳ５１では、図１１に示したメニュ−画面を表示するメニュ−釦の入力があったか否かを判断し、メニュ−釦の入力があったと判断すれば、ステップＳ５２に進み、一方、メニュ−釦の入力がなかったと判断すれば、ステップＳ５１に戻る。
【０２１０】
ステップＳ５２では、ユ−ザの識別処理、例えば、接続されている携帯電話の番号を読み取って、該電話番号デ−タに基づいてユ−ザの識別を行い、ステップＳ５３に進む。
【０２１１】
ステップＳ５３では、識別されたユ−ザのエ−ジェント機能が有効か無効かを判断し、エ−ジェント機能が無効であると判断すれば、ステップＳ５４に進み、ステップＳ５４では、通常のメニュ−画面を生成する設定を行い、ステップＳ５６に進む。
【０２１２】
一方ステップＳ５３において、エ−ジェント機能が有効であると判断すれば、ステップＳ５５に進み、ステップＳ５５では、ユ−ザの嗜好情報を加味したメニュ−画面を生成する設定を行い、ステップＳ５６に進む。
【０２１３】
ステップＳ５６では、図１１に示したメニュ−画面を表示する処理を行い、ステップＳ５７に進む。ステップＳ５７では、「聴きたい」釦が入力されたか否かを判断し、「聴きたい」釦が入力されていないと判断すれば、ステップＳ５８に進む。ステップＳ５８では、「見たい」釦が入力されたか否かを判断し、「見たい」釦が入力されていないと判断すれば、ステップＳ５９に進む。ステップＳ５９では、「知りたい」釦が入力されたか否かを判断し、「知りたい」釦が入力されていないと判断すれば、ステップＳ６０に進む。ステップＳ６０では、「マイブ−ム」釦が入力されたか否かを判断し、「マイブ−ム」釦が入力されていないと判断すれば、その後処理を終了する。
【０２１４】
一方、ステップＳ５７において、「聴きたい」釦が入力されたと判断すれば、図７５のステップＳ６１に進む。
ステップＳ６１では、図１２に示した「聴きたい」メニュ−画面を表示する処理を行い、ステップＳ６２に進む。ステップＳ６２では、入力された釦が、次のメニュ−画面を表示する釦か、音楽コンテンツ選択画面を表示する釦かを判断し、次のメニュ−画面を表示する釦であると判断すれば、ステップＳ６３に進み、次のメニュ−画面を表示して、ステップＳ６２に戻る。
【０２１５】
一方、ステップＳ６２において、音楽コンテンツ選択画面を表示する釦であると判断すれば、ステップＳ６４に進む。ステップＳ６４では、音楽コンテンツＤＢから入力された釦内容に対応する音楽コンテンツの曲デ−タ（曲タイトル、ア−ティスト名等）と格納場所デ−タとを割り出す処理を行い、ステップＳ６５に進む。
【０２１６】
ステップＳ６５では、割り出された音楽コンテンツの中に複数の格納場所に格納されているものがあるか否かを判断し、複数の格納場所に格納されているものがないと判断すれば、ステップＳ６７に進む。
【０２１７】
一方、ステップＳ６５において、複数の格納場所に格納されているものがあると判断すれば、ステップＳ６６に進む。ステップＳ６６では、音楽コンテンツの音質レベル、通信料金やコンテンツ代等を考慮して設定された選択優先順位決定条件に基づいて、複数の格納場所に関する選択優先順位を決定する処理を行い、ステップＳ６７に進む。
【０２１８】
ステップＳ６７では、音楽コンテンツ情報とその格納場所情報とを含む音楽コンテンツ選択画面（例えば、図１４）を表示する処理を行い、ステップＳ６８に進む。なお、複数の格納場所に格納されている音楽コンテンツの格納場所デ−タについては、ステップＳ６７で決定された優先順位１位の格納場所デ−タが採用されるようになっている。
【０２１９】
ステップＳ６８では、表示された音楽コンテンツ選択釦が入力されたか否かを判断し、音楽コンテンツ選択釦が入力されたと判断すれば、ステップＳ６９に進む。ステップＳ６９では、入力された音楽コンテンツ選択釦に対応する音楽コンテンツの再生画面（例えば、図１５、図２４、図２７、図３４）を表示する処理を行い、ステップＳ７０に進む。
【０２２０】
ステップＳ７０では、音楽コンテンツ選択釦に対応する音楽コンテンツを再生する処理を行い、ステップＳ７１に進む。ステップＳ７１では、再生画面に表示された機能釦（例えば、図１５に示した「情報」、「エア−チェック」、「購入」釦等）の入力があったか否かを判断し、機能釦の入力があったと判断すれば、ステップＳ７２に進む。
【０２２１】
ステップＳ７２では、入力された機能釦に対応した画面（例えば、図２１、２２に示した情報表示画面、図１６〜２０に示した音楽コンテンツ購入処理画面等）を表示する処理を行い、処理を終了する。またステップＳ７１において、機能釦の入力がなかったと判断すれば処理を終了する。
一方、ステップＳ６８において、音楽コンテンツ選択釦が入力されなかったと判断すれば、ステップＳ６１に戻る。
【０２２２】
また一方、ステップＳ５８において、「見たい」釦が入力されたと判断すれば、図７６のステップＳ７３に進む。
ステップＳ７３では、図３６に示した「見たい」メニュ−画面を表示する処理を行い、ステップＳ７４に進む。
【０２２３】
ステップＳ７４では、「見たい」メニュ−画面において入力された釦が、次のメニュ−画面を表示する釦か、放送中のテレビ番組選択画面を表示する釦かを判断し、テレビ番組選択画面を表示する釦であると判断すれば、ステップＳ７５に進む。
【０２２４】
ステップＳ７５では、現在放送中のテレビ番組をマルチチャンネル表示する処理を行い（図３７）、ステップＳ７６に進む。ステップＳ７６では、番組表示枠のタッチ入力があったか否かを判断し、タッチ入力があったと判断すれば、ステップＳ７７に進み、一方、番組表示枠のタッチ入力がなかったと判断すれば、ステップＳ７５に戻る。
【０２２５】
ステップＳ７７では、タッチ入力されたチャンネル映像画面への切り換え表示する処理を行い（図３８）、ステップＳ７８に進む。ステップＳ７８では、チャンネル映像画面に表示された機能釦（図３８に示した「情報」、「他チャンネル情報」釦）の入力があったか否かを判断し、機能釦の入力があったと判断すれば、ステップＳ７９に進む。
【０２２６】
ステップＳ７９では、入力された機能釦に対応した画面（例えば、図３９〜図４１の情報表示画面、図４２に示した他チャンネル映像画面等）を表示する処理を行い、ステップＳ８０に進む。
一方ステップＳ７８において、機能釦の入力がなかったと判断すれば、ステップＳ８０に進む。
【０２２７】
ステップＳ８０では、表示映像がタッチ入力されたか否かを判断し、表示映像がタッチ入力されたと判断すれば、ステップＳ８１に進む。ステップＳ８１では、タッチ入力時の映像を静止画像として表示する処理を行い（図４３）、ステップＳ８２に進む。
【０２２８】
ステップＳ８２では、静止画像画面に表示された機能釦（図４３に示した「保存」釦）の入力があったか否かを判断し、「保存」釦の入力があったと判断すれば、ステップＳ８３に進み、ステップＳ８３では、静止画像の保存処理を行い、ステップＳ７７に戻る。一方、ステップＳ８２において、「保存」釦の入力がなかったと判断すれば、ステップＳ７７に戻る。
【０２２９】
また一方、ステップＳ８０において、表示映像がタッチ入力されなかったと判断すれば、その後、処理を終了する。
【０２３０】
一方ステップＳ７４において、次のメニュ−画面を表示する釦であると判断すれば、ステップＳ８４に進む。ステップＳ８４では、選択されたメニュ−釦に対応する次のメニュ−画面を表示する処理を行い、ステップＳ８５に進む。
【０２３１】
ステップＳ８５では、入力された釦が、次のメニュ−画面を表示する釦か、放送・映像コンテンツ選択画面を表示する釦かを判断し、次のメニュ−画面を表示する釦であると判断すれば、ステップＳ８６に進み、次のメニュ−画面を表示して、ステップＳ８５に戻る。
【０２３２】
一方、ステップＳ８５において、放送・映像コンテンツ選択画面を表示する釦であると判断すれば、ステップＳ８７に進む。ステップＳ８７では、放送・映像コンテンツＤＢから入力された釦内容に対応する放送・映像コンテンツのタイトル情報（番組・映像タイトル、放送日時情報、サイトアドレス等）と取得メディア情報とを割り出す処理を行い、ステップＳ８８に進む。
【０２３３】
ステップＳ８８では、放送・映像コンテンツのタイトル情報とその取得メディア情報とを含む放送・映像コンテンツ選択画面（例えば、図５３、図５７、図６０）を表示する処理を行い、ステップＳ８９に進む。
【０２３４】
ステップＳ８９では、表示された放送・映像コンテンツ選択釦が入力されたか否かを判断し、放送・映像コンテンツ選択釦が入力されたと判断すれば、ステップＳ９０に進む。ステップＳ９０では、入力された放送・映像コンテンツ選択釦に対応する放送・映像コンテンツの再生画面（例えば、図５４、図５８、図６１）を表示する処理を行い、ステップＳ９１に進む。
一方ステップＳ８９において、放送・映像コンテンツ選択釦が入力されなかったと判断すれば、ステップＳ８４に戻る。
【０２３５】
ステップＳ９１では、放送・映像コンテンツ再生画面に表示された機能釦（例えば、図５４に示した「情報」、「レシピ」釦、図５８に示した「情報」、「予約確認」釦、図６１に示した「情報」、「メ−ルで送る」、「電話する」釦等）の入力があったか否かを判断し、機能釦の入力があったと判断すれば、ステップＳ９２に進む。
【０２３６】
ステップＳ９２では、入力された機能釦に対応した画面（情報表示画面、メ−ル送信画面、通話画面等）を表示する処理を行い、その後処理を終了する。一方ステップＳ９１において、機能釦の入力がなかったと判断すれば、処理を終了する。
【０２３７】
また一方、ステップＳ５９において、「知りたい」釦が入力されたと判断すれば、図７７のステップＳ９３に進む。
ステップＳ９３では、図６２に示した「知りたい」メニュ−画面を表示する処理を行い、ステップＳ９４に進む。
【０２３８】
ステップＳ９４では、「知りたい」メニュ−画面において入力された釦が、次のメニュ−画面を表示する釦か、デ−タコンテンツ選択画面を表示する釦か否かを判断し、次のメニュ−画面を表示する釦であると判断すれば、ステップＳ９５に進み、次のメニュ−画面を表示して、ステップＳ９４に戻る。
【０２３９】
一方、ステップＳ９４において、デ−タコンテンツ選択画面を表示する釦であると判断すれば、ステップＳ９６に進む。ステップＳ９６では、デ−タコンテンツＤＢから入力された釦内容に対応するデ−タコンテンツのタイトル・見出し情報と取得メディア情報とを割り出す処理を行い、ステップＳ９７に進む。
【０２４０】
ステップＳ９７では、デ−タコンテンツのタイトル・見出し情報とその取得メディア情報とを含むデ−タコンテンツ選択画面（例えば、図６４、図６６）を表示する処理を行い、ステップＳ９８に進む。
【０２４１】
ステップＳ９８では、表示されたデ−タコンテンツ選択釦が入力されたか否かを判断し、デ−タコンテンツ選択釦が入力されたと判断すれば、ステップＳ９９に進む。ステップＳ９９では、入力されたデ−タコンテンツ選択釦に対応するデ−タコンテンツ画面（例えば、図６５、図６７）を表示する処理を行い、ステップＳ１００に進む。
【０２４２】
ステップＳ１００では、デ−タコンテンツ画面に表示された機能釦（図６５に示した「情報」、「関連記事」、「予約」釦等）の入力があったか否かを判断し、機能釦の入力があったと判断すれば、ステップＳ１０１に進む。
ステップＳ１０１では、入力された機能釦に対応した画面（情報、関連記事表示画面、予約処理画面等）を表示する処理を行い、その後処理を終了する。
【０２４３】
一方ステップＳ１００において、機能釦の入力がなかったと判断すれば、処理を終了する。また一方ステップＳ９８において、デ−タコンテンツ選択釦が入力されなかったと判断すれば、ステップＳ９３に戻る。
【０２４４】
また一方、ステップＳ６０において、「マイブ−ム」釦が入力されたと判断すれば、図７８のステップＳ１０２に進む。ステップＳ１０２では、図６８に示した「マイブ−ム」メニュ−画面を表示する処理を行い、ステップＳ１０３に進む。
【０２４５】
ステップＳ１０３では、メニュ−画面において入力された釦が、次のメニュ−画面を表示する釦か、お気に入りコンテンツ選択画面を表示する釦か否かを判断し、次のメニュ−画面を表示する釦であると判断すれば、ステップＳ１０４に進み、次のメニュ−画面を表示して、ステップＳ１０３に戻る。
【０２４６】
一方、ステップＳ１０３において、お気に入りコンテンツ選択画面を表示する釦であると判断すれば、ステップＳ１０５に進む。ステップＳ１０５では、入力された釦内容に対応するお気に入りコンテンツの関連情報とお気に入りコンテンツの格納場所情報とを割り出す処理を行い、ステップＳ１０６に進む。
【０２４７】
ステップＳ１０６では、割り出されたお気に入りコンテンツ関連情報とお気に入りコンテンツ格納場所情報とを含むお気に入りコンテンツ選択画面（例えば、図７０）を表示する処理を行い、ステップＳ１０７に進む。
【０２４８】
ステップＳ１０７では、表示されたお気に入りコンテンツ選択釦が入力されたか否かを判断し、お気に入りコンテンツ選択釦が入力されたと判断すれば、ステップＳ１０８に進む。一方、ステップＳ１０７において、お気に入りコンテンツ選択釦が入力されなかったと判断すれば、ステップＳ１０２に戻る。
【０２４９】
ステップＳ１０８では、入力されたお気に入りコンテンツ選択釦に対応するお気に入りコンテンツの再生画面（例えば、図７１）を表示する処理を行い、ステップＳ１０９に進む。
【０２５０】
ステップＳ１０９では、お気に入りコンテンツ再生画面に表示された機能釦（図７１に示した「情報」、「エア−チェック」、「購入」釦等）の入力があったか否かを判断し、機能釦の入力があったと判断すれば、ステップＳ１１０に進む。
【０２５１】
ステップＳ１１０では、入力された機能釦に対応した画面（情報表示画面、購入処理画面等）を表示する処理を行い、その後処理を終了する。
一方、ステップＳ１０９において、機能釦の入力がなかったと判断すれば、その後処理を終了する。
【０２５２】
上記実施の形態に係る情報端末装置によれば、コンテンツＤＢ１９ａに基づいて生成されたメニュ−画面が表示手段１３に表示されるので、ユ−ザは、聴きたい音楽コンテンツ、見たい放送、映像、画像コンテンツ、あるいは知りたいデ−タコンテンツなど、様々なインフラやメディアを通じて取得可能なコンテンツをインフラやメディアの存在を意識することなく、各コンテンツに関連付けられた情報に基づいて簡単に選択することができ、使い易さを格段に向上させることができる。
【０２５３】
また、コンテンツ格納場所情報（取得メディア情報を含む）とコンテンツ関連情報とが関連付けられたメニュ−画面を生成し、表示させることにより、コンテンツが格納されている格納場所をユ−ザに一目で把握させることができ、ユ−ザは、格納場所情報を参考にしてコンテンツを選択することもできる。
【０２５４】
また、メニュ−画面の生成時に、割り出されたコンテンツが複数の格納場所に格納されていることが判明した場合は、これら複数の格納場所に格納されているコンテンツの選択優先順位を決定することができ、該選択優先順位に基づく格納場所情報と前記コンテンツ関連情報とを関連付けたメニュ−画面を生成して表示させることにより、選択優先順位に基づく格納場所をユ−ザに一目で把握させることができる。したがって、ユ−ザは、コンテンツが複数の格納場所に格納されていることを意識することなく、選択優先順位に基づいて決定された格納場所情報を参考にして所望のコンテンツを選択することができる。
【０２５５】
また、外部取得選択情報とコンテンツ関連情報とを関連付けたメニュ−画面を生成して表示させることにより、外部取得選択情報をユ−ザに把握させることができる。したがって、ユ−ザは、外部取得選択情報を参考にして、前記コンテンツの選択を行うことができる。
【０２５６】
また、外部取得したコンテンツ関連情報と、該コンテンツ関連情報と対応するコンテンツとを関連付けてコンテンツＤＢ１９ａに登録していくので、登録されたコンテンツ関連情報を必要に応じて読み出して表示することで、コンテンツの選択に役立つ種々の情報をユ−ザに提示することができる。
【０２５７】
また、ユ−ザ情報ＤＢにユ−ザの嗜好性を高めるための情報を登録することができ、登録されたユ−ザの嗜好情報を加味したメニュ−画面を生成することができる。したがって、ユ−ザの嗜好により合ったメニュ−画面を表示させることが可能となり、さらに使い易さを向上させることができる。
【０２５８】
また、読込・再生手段１６で再生されたコンテンツの累積再生回数を記録し、記録された再生情報に基づいてユ−ザの嗜好情報を生成し、生成された前記ユ−ザの嗜好情報を加味したメニュ−画面を生成するので、前記再生情報に基づいたユ−ザの嗜好により合ったメニュ−画面を表示させることが可能となり、さらに操作性を向上させることができる。
【０２５９】
また、ユ−ザの嗜好情報に該当する番組又は番組中の特定項目関連部分の放送前に事前に予告通知を行うことができる。したがって、ユ−ザは、前記予告通知によってユ−ザの嗜好情報に該当する番組又は番組中の特定項目関連部分の放送前であることを把握することができ、すぐに番組チャンネルの選択等を行って、前記番組又は番組中の特定項目関連部分を見逃さないようにすることができる。
【０２６０】
また、テレビジョン放送の番組の表示映像を静止画像として、番組デ−タと合わせて保存して、前記静止画像と前記番組デ−タ内の所定デ−タとを関連付けて登録するので、静止画像を集めた画像ライブラリを作成して、前記コンテンツ関連情報として前記静止画像を使用することができる。
【０２６１】
また、登録された静止画像を含んだメニュ−画面を生成して表示させることができ、前記静止画像を選択することにより、該静止画像と関連付けられたデ−タに基づいて、所定のコンテンツを読み出して再生させることができ、静止画像による分かりやすいコンテンツの選択画面を表示することができる。
【０２６２】
なお、上記実施の形態では、予め設定された選択優先順位決定条件に基づいて選択優先順位を決定するものであるが、別の実施の形態では、ユ−ザの好みに応じて選択優先順位決定条件の設定を可能とする画面を設け、該設定画面を通じて設定されたユ−ザの希望が反映された選択優先順位決定条件に基づいて選択優先順位を決定させるようにしてもよい。
【０２６３】
また、上記実施の形態では、接続されている携帯電話３０の番号によりユ−ザ識別を行い、識別されたユ−ザ毎のメニュ−画面を生成するようにしたが、別の実施の形態では、車両に搭載される場合に、車内ＬＡＮから車種情報を取得して、車種に応じたメニュ−画面を生成するようにしたり、あるいは、起動時に車種を登録することにより、車種に応じたメニュ−画面を生成するように設定することも可能である。
【図面の簡単な説明】
【図１】本発明の実施の形態に係る情報端末装置の要部を概略的に示したブロック図である。
【図２】実施の形態に係る情報端末装置の記憶手段に格納されている音楽コンテンツＤＢのデ−タ構造を示している。
【図３】実施の形態に係る情報端末装置の記憶手段に格納されている放送・映像コンテンツＤＢのデ−タ構造を示している。
【図４】実施の形態に係る情報端末装置の記憶手段に格納されている画像コンテンツＤＢのデ−タ構造を示している。
【図５】実施の形態に係る情報端末装置の記憶手段に格納されているデ−タコンテンツＤＢのデ−タ構造を示している。
【図６】実施の形態に係る情報端末装置の記憶手段に格納されているユ−ザ情報ＤＢのデ−タ構造を示している。
【図７】実施の形態に係る情報端末装置におけるマイコンの行う音楽コンテンツＤＢ作成処理動作を示すフロ−チャ−トである。
【図８】実施の形態に係る情報端末装置におけるマイコンの行う音楽コンテンツＤＢ作成処理動作を示すフロ−チャ−トである。
【図９】実施の形態に係る情報端末装置におけるマイコンの行う放送・映像コンテンツＤＢ作成処理動作を示すフロ−チャ−トである。
【図１０】実施の形態に係る情報端末装置におけるマイコンの行うデ−タコンテンツＤＢ作成処理動作を示すフロ−チャ−トである。
【図１１】実施の形態に係る情報端末装置の表示手段に表示された画面の表示例を示している。
【図１２】実施の形態に係る情報端末装置の表示手段に表示された画面の表示例を示している。
【図１３】実施の形態に係る情報端末装置の表示手段に表示された画面の表示例を示している。
【図１４】実施の形態に係る情報端末装置の表示手段に表示された画面の表示例を示している。
【図１５】実施の形態に係る情報端末装置の表示手段に表示された画面の表示例を示している。
【図１６】実施の形態に係る情報端末装置の表示手段に表示された画面の表示例を示している。
【図１７】実施の形態に係る情報端末装置の表示手段に表示された画面の表示例を示している。
【図１８】実施の形態に係る情報端末装置の表示手段に表示された画面の表示例を示している。
【図１９】実施の形態に係る情報端末装置の表示手段に表示された画面の表示例を示している。
【図２０】実施の形態に係る情報端末装置の表示手段に表示された画面の表示例を示している。
【図２１】実施の形態に係る情報端末装置の表示手段に表示された画面の表示例を示している。
【図２２】実施の形態に係る情報端末装置の表示手段に表示された画面の表示例を示している。
【図２３】実施の形態に係る情報端末装置の表示手段に表示された画面の表示例を示している。
【図２４】実施の形態に係る情報端末装置の表示手段に表示された画面の表示例を示している。
【図２５】実施の形態に係る情報端末装置の表示手段に表示された画面の表示例を示している。
【図２６】実施の形態に係る情報端末装置の表示手段に表示された画面の表示例を示している。
【図２７】実施の形態に係る情報端末装置の表示手段に表示された画面の表示例を示している。
【図２８】実施の形態に係る情報端末装置の表示手段に表示された画面の表示例を示している。
【図２９】実施の形態に係る情報端末装置の表示手段に表示された画面の表示例を示している。
【図３０】実施の形態に係る情報端末装置の表示手段に表示された画面の表示例を示している。
【図３１】実施の形態に係る情報端末装置の表示手段に表示された画面の表示例を示している。
【図３２】実施の形態に係る情報端末装置の表示手段に表示された画面の表示例を示している。
【図３３】実施の形態に係る情報端末装置の表示手段に表示された画面の表示例を示している。
【図３４】実施の形態に係る情報端末装置の表示手段に表示された画面の表示例を示している。
【図３５】実施の形態に係る情報端末装置の表示手段に表示された画面の表示例を示している。
【図３６】実施の形態に係る情報端末装置の表示手段に表示された画面の表示例を示している。
【図３７】実施の形態に係る情報端末装置の表示手段に表示された画面の表示例を示している。
【図３８】実施の形態に係る情報端末装置の表示手段に表示された画面の表示例を示している。
【図３９】実施の形態に係る情報端末装置の表示手段に表示された画面の表示例を示している。
【図４０】実施の形態に係る情報端末装置の表示手段に表示された画面の表示例を示している。
【図４１】実施の形態に係る情報端末装置の表示手段に表示された画面の表示例を示している。
【図４２】実施の形態に係る情報端末装置の表示手段に表示された画面の表示例を示している。
【図４３】実施の形態に係る情報端末装置の表示手段に表示された画面の表示例を示している。
【図４４】実施の形態に係る情報端末装置の表示手段に表示された画面の表示例を示している。
【図４５】実施の形態に係る情報端末装置の表示手段に表示された画面の表示例を示している。
【図４６】実施の形態に係る情報端末装置の表示手段に表示された画面の表示例を示している。
【図４７】実施の形態に係る情報端末装置の表示手段に表示された画面の表示例を示している。
【図４８】実施の形態に係る情報端末装置の表示手段に表示された画面の表示例を示している。
【図４９】実施の形態に係る情報端末装置の表示手段に表示された画面の表示例を示している。
【図５０】実施の形態に係る情報端末装置の表示手段に表示された画面の表示例を示している。
【図５１】実施の形態に係る情報端末装置の表示手段に表示された画面の表示例を示している。
【図５２】実施の形態に係る情報端末装置の表示手段に表示された画面の表示例を示している。
【図５３】実施の形態に係る情報端末装置の表示手段に表示された画面の表示例を示している。
【図５４】実施の形態に係る情報端末装置の表示手段に表示された画面の表示例を示している。
【図５５】実施の形態に係る情報端末装置の表示手段に表示された画面の表示例を示している。
【図５６】実施の形態に係る情報端末装置の表示手段に表示された画面の表示例を示している。
【図５７】実施の形態に係る情報端末装置の表示手段に表示された画面の表示例を示している。
【図５８】実施の形態に係る情報端末装置の表示手段に表示された画面の表示例を示している。
【図５９】実施の形態に係る情報端末装置の表示手段に表示された画面の表示例を示している。
【図６０】実施の形態に係る情報端末装置の表示手段に表示された画面の表示例を示している。
【図６１】実施の形態に係る情報端末装置の表示手段に表示された画面の表示例を示している。
【図６２】実施の形態に係る情報端末装置の表示手段に表示された画面の表示例を示している。
【図６３】実施の形態に係る情報端末装置の表示手段に表示された画面の表示例を示している。
【図６４】実施の形態に係る情報端末装置の表示手段に表示された画面の表示例を示している。
【図６５】実施の形態に係る情報端末装置の表示手段に表示された画面の表示例を示している。
【図６６】実施の形態に係る情報端末装置の表示手段に表示された画面の表示例を示している。
【図６７】実施の形態に係る情報端末装置の表示手段に表示された画面の表示例を示している。
【図６８】実施の形態に係る情報端末装置の表示手段に表示された画面の表示例を示している。
【図６９】実施の形態に係る情報端末装置の表示手段に表示された画面の表示例を示している。
【図７０】実施の形態に係る情報端末装置の表示手段に表示された画面の表示例を示している。
【図７１】実施の形態に係る情報端末装置の表示手段に表示された画面の表示例を示している。
【図７２】実施の形態に係る情報端末装置の表示手段に表示された画面の表示例を示している。
【図７３】実施の形態に係る情報端末装置の表示手段に表示された画面の表示例を示している。
【図７４】実施の形態に係る情報端末装置のマイコンの行うメニュ−画面の表示処理動作を示すフロ−チャ−トである。
【図７５】実施の形態に係る情報端末装置のマイコンの行うメニュ−画面の表示処理動作を示すフロ−チャ−トである。
【図７６】実施の形態に係る情報端末装置のマイコンの行うメニュ−画面の表示処理動作を示すフロ−チャ−トである。
【図７７】実施の形態に係る情報端末装置のマイコンの行うメニュ−画面の表示処理動作を示すフロ−チャ−トである。
【図７８】実施の形態に係る情報端末装置のマイコンの行うメニュ−画面の表示処理動作を示すフロ−チャ−トである。
【図７９】従来の車載用の情報端末装置のディスプレイを含む前面パネルの概略構成を説明するための図である。
【図８０】従来の車載用の情報端末装置のディスプレイ部に表示された情報メニュ−画面を説明するための図である。
【符号の説明】
１０　情報端末装置
１１　ＴＶ放送受信手段
１２　ラジオ放送受信手段
１３　表示手段
１４　表示処理手段
１５　音楽・映像・画像メディア
１６　読込・再生手段
１７　無線手段
１８　操作手段
１９　記憶手段
１９ａ　コンテンツＤＢ
２０　マイコン
３０　携帯電話
４４　ホ−ムサ−バ
４５　コンテンツ提供サ−バ
４６　楽曲デ−タ提供サ−バ
４７　ランキングデ−タ提供サ−バ
【図１】
2004030469.tif 000003
【図２】
2004030469.tif 000004
【図３】
2004030469.tif 000005
【図４】
2004030469.tif 000006
【図５】
2004030469.tif 000007
【図６】
2004030469.tif 000008
【図７】
2004030469.tif 000009
【図８】
2004030469.tif 000010
【図９】
2004030469.tif 000011
【図１０】
2004030469.tif 000012
【図１１】
2004030469.tif 000013
【図１２】
2004030469.tif 000014
【図１３】
2004030469.tif 000015
【図１４】
2004030469.tif 000016
【図１５】
2004030469.tif 000017
【図１６】
2004030469.tif 000018
【図１７】
2004030469.tif 000019
【図１８】
2004030469.tif 000020
【図１９】
2004030469.tif 000021
【図２０】
2004030469.tif 000022
【図２１】
2004030469.tif 000023
【図２２】
2004030469.tif 000024
【図２３】
2004030469.tif 000025
【図２４】
2004030469.tif 000026
【図２５】
2004030469.tif 000027
【図２６】
2004030469.tif 000028
【図２７】
2004030469.tif 000029
【図２８】
2004030469.tif 000030
【図２９】
2004030469.tif 000031
【図３０】
2004030469.tif 000032
【図３１】
2004030469.tif 000033
【図３２】
2004030469.tif 000034
【図３３】
2004030469.tif 000035
【図３４】
2004030469.tif 000036
【図３５】
2004030469.tif 000037
【図３６】
2004030469.tif 000038
【図３７】
2004030469.tif 000039
【図３８】
2004030469.tif 000040
【図３９】
2004030469.tif 000041
【図４０】
2004030469.tif 000042
【図４１】
2004030469.tif 000043
【図４２】
2004030469.tif 000044
【図４３】
2004030469.tif 000045
【図４４】
2004030469.tif 000046
【図４５】
2004030469.tif 000047
【図４６】
2004030469.tif 000048
【図４７】
2004030469.tif 000049
【図４８】
2004030469.tif 000050
【図４９】
2004030469.tif 000051
【図５０】
2004030469.tif 000052
【図５１】
2004030469.tif 000053
【図５２】
2004030469.tif 000054
【図５３】
2004030469.tif 000055
【図５４】
2004030469.tif 000056
【図５５】
2004030469.tif 000057
【図５６】
2004030469.tif 000058
【図５７】
2004030469.tif 000059
【図５８】
2004030469.tif 000060
【図５９】
2004030469.tif 000061
【図６０】
2004030469.tif 000062
【図６１】
2004030469.tif 000063
【図６２】
2004030469.tif 000064
【図６３】
2004030469.tif 000065
【図６４】
2004030469.tif 000066
【図６５】
2004030469.tif 000067
【図６６】
2004030469.tif 000068
【図６７】
2004030469.tif 000069
【図６８】
2004030469.tif 000070
【図６９】
2004030469.tif 000071
【図７０】
2004030469.tif 000072
【図７１】
2004030469.tif 000073
【図７２】
2004030469.tif 000074
【図７３】
2004030469.tif 000075
【図７４】
2004030469.tif 000076
【図７５】
2004030469.tif 000077
【図７６】
2004030469.tif 000078
【図７７】
2004030469.tif 000079
【図７８】
2004030469.tif 000080
【図７９】
2004030469.tif 000081
【図８０】
2004030469.tif 000082